(57)【要約】【課題】Ｉ２Ｃバスに代表される高速シリアルバスによるシリアル通信方式のメリットを損なうことなく、高速通信安定性を向上させ、所定の演出効果を達成する。【解決手段】マスターとなるマイクロコントローラＭＳＴのシリアルデータラインＳＤＡと、スレーブとなる演出用ドライバＬＤｒ０１・・・のシリアルデータラインＳＤＡとの間を結ぶ線路中に、双方向性のバスバッファＢＵＳＢを接続し、マイクロコントローラＭＳＴのシリアルクロックラインＳＣＬと、演出用ドライバＬＤｒ０１・・・のシリアルクロックラインＳＣＬとの間を結ぶ線路中に、マイクロコントローラＭＳＴからのシリアルクロックライン信号をバスバッファＢＵＳＢを介さずに別経路で演出用ドライバＬＤｒ０１・・・に送信する送信素子ＢＤ００及び受信素子ＢＤ０１・・・を接続した。【選択図】図７
2011250967.tif 000002
【特許請求の範囲】
【請求項１】
シリアルクロックラインとシリアルデータラインとの２ラインにてマスターとスレーブとの間で通信を行う高速シリアルバスにより、マスターとなるマイクロコントローラとスレーブとなる複数の演出用ドライバとの間を接続した遊技機において、
前記マイクロコントローラのシリアルデータラインと、前記演出用ドライバのシリアルデータラインとの間を結ぶ線路中に、双方向に信号を入出力させる入出力端子と該入出力端子から入力する信号を出力させる出力端子及び前記入出力端子から出力する信号を入力させる入力端子をもつ双方向性のバスバッファを接続していると共に、
前記マイクロコントローラのシリアルクロックラインと、前記演出用ドライバのシリアルクロックラインとの間を結ぶ線路中に、前記マイクロコントローラからのシリアルクロックライン信号を前記バスバッファを介さずに別経路で前記演出用ドライバに送信する送信素子と、この送信素子からの送信信号を受信する受信素子とを接続している
ことを特徴とする遊技機。
【請求項２】
前記バスバッファは、第１信号を双方向に入出力させる第１入出力端子と第１信号を出力させる第１出力端子及び第１信号を入力させる第１入力端子、並びに、第２信号を双方向に入出力させる第２入出力端子と第２信号を出力させる第２出力端子及び第２信号を入力させる第２入力端子を具備し、
前記演出用ドライバは、予め定めた所定の大分類にしたがってグループ分けした第１大グループに属するものと、この第１大グループ以外の第２大グループに属するものとを具備し、
前記第１入出力端子及び前記第２入出力端子を前記マイクロコントローラのシリアルデータラインに接続していると共に、
前記第１出力端子及び前記第１入力端子を前記第１大グループに属する演出用ドライバのシリアルデータラインに接続し、かつ、
前記第２出力端子及び前記第２入力端子を前記第２大グループに属する演出用ドライバのシリアルデータラインに接続している
ことを特徴とする請求項１記載の遊技機。
【請求項３】
前記演出用ドライバは、予め定めた所定の中分類にしたがって複数の中グループにグループ分けしており、
前記受信素子は、中グループに対応させて中グループ毎に設けており、
中グループ毎に設ける前記受信素子の出力端子を、その中グループに属する演出用ドライバのシリアルクロックラインに接続している
ことを特徴とする請求項１又は２記載の遊技機。
【請求項４】
一つの中グループには、基板毎に分けた複数の小グループを含み、
小グループを構成する基板毎に、その小グループに属する演出用ドライバ及びこれにより駆動する演出用デバイスを実装している
ことを特徴とする請求項３記載の遊技機。
【請求項５】
一つの中グループには、基板毎に分けた複数の小グループを含み、
中グループ毎に設ける前記受信素子を実装する中グループ毎の中継基板に、その中グループに含まれる小グループに属する演出用ドライバを実装している
ことを特徴とする請求項３記載の遊技機。
【請求項６】
一つの前記演出用ドライバは、Ｉ２Ｃバス対応の多ビットＬＥＤドライバから成り、
赤色発光端子、緑色発光端子、青色発光端子をもつ一つの多色ＬＥＤを複数個集合させて、
各多色ＬＥＤの赤色発光端子は、共通する一つの赤色発光用多ビットＬＥＤドライバの各出力端子に接続し、かつ、
各多色ＬＥＤの緑色発光端子は、共通する別の一つの緑色発光用多ビットＬＥＤドライバの各出力端子に接続し、さらに、
各多色ＬＥＤの青色発光端子は、共通する更に別の一つの青色発行用多ビットＬＥＤドライバの各出力端子に接続している
ことを特徴とする請求項１〜５何れか一項に記載の遊技機。
【発明の詳細な説明】
【技術分野】
【０００１】
本発明は、パチンコ遊技機、アレンジボール遊技機、じゃん玉遊技機、回胴式遊技機、スロットマシン等の遊技機に関する。
【背景技術】
【０００２】
一般に、この種の遊技機は、遊技盤や筐体のフロント部分等に多数のＬＥＤ（発光ダイオード）やランプによる電飾等の演出用デバイスを装備しており、機種毎に、独特の個性を放つ華やかな演出効果を現出させている。従来、遊技機の内部に設ける制御装置と電飾等の演出用デバイスを駆動する演出用ドライバとの間の通信にはパラレル通信方式が多く用いられてきたが、近年、信号線の本数を少なくし、ハーネス上のトラブルや不正行為に対するセキュリティを向上する等の観点から、少ない信号線で多くの演出用ドライバを駆動できる高速シリアルバスによるシリアル通信方式が注目されてきている。
【０００３】
高速シリアルバスの代表例に、オランダのフィリップス社（Ｐｈｉｌｉｐｓ）が開発したＩ２Ｃ（Ｉｎｔｅｒ−Ｉｎｔｅｇｒａｔｅｄ  Ｃｉｒｃｕｉｔ、ＩＩＣ又はＩ２Ｃとも書く）バスがある。このＩ２Ｃバスは、シリアルクロックラインＳＣＬとシリアルデータラインＳＤＡの２本の信号線により双方向の通信を可能にした高速シリアルバスであり、ピン数や基板上の配線も少なく、低コスト化が可能であること、複数のデバイスを数珠繋ぎして負荷容量を変更可能であることや、各デバイスをアドレスで管理可能であることから、機種毎の要求仕様に柔軟に対応させることができ、しかも、ノイズに強い等、遊技機への適用に際して魅力的な特徴を有している。
【０００４】
Ｉ２Ｃバスによるシリアル通信方式を遊技機の分野に適用した例として、特許文献１や２等が知られている。
【先行技術文献】
【特許文献】
【０００５】
【特許文献１】特開２００９−２９７１６７号公報
【０００６】
【特許文献２】特開２００６−１５０３６号公報
【０００７】
ここで、以下の説明のために、Ｉ２Ｃバスで使用される用語を定義しておく。マスターとは、データ転送を開始し、クロック信号を生成し、データ転送を終了するデバイスをいう。スレーブとは、マスターからアドレス指定されるデバイスをいう。トランスミッタとは、データをバスに送信するデバイスをいう。レシーバとは、データをバスから受信するデバイスをいう。
【発明の概要】
【発明が解決しようとする課題】
【０００８】
特許文献１に記載されたものは、Ｉ２Ｃバスのマスターとなる送信装置を実装した副基板側とＩ２Ｃバスのスレーブとなる受信装置を実装した演出用のランプ基板側との間における、シリアルクロックラインＳＣＬとシリアルデータラインＳＤＡとの各データ伝送路に、光伝送手段を適用したことに固有の特徴を有する。
【０００９】
しかし、この特許文献１に記載のものも、従来からの通常の用法に従い、マスターとなる送信装置を実装した副基板側のシリアルクロックラインＳＣＬは、Ｉ２Ｃバス対応のバスバッファ（図中符号ＤＲ１、型番Ｐ８２Ｂ９６）のＳＣＬ用端子（実際には双方向にクロック信号を入出力させる入出力端子ＳＹ）と接続し、かつ、同副基板側のシリアルデータラインＳＤＡは、同じバスバッファＤＲ１のＳＤＡ用端子（実際には双方向にデータ信号を入出力させる入出力端子ＳＸ）と接続し、シリアルクロックラインＳＣＬ及びシリアルデータラインＳＤＡの各信号レベルの安定化等を図っている。
【００１０】
特許文献２に記載されたものは、Ｉ２ＣバスのマスターとなるＣＰＵ及びバスコントローラをもつ主基板側とＩ２ＣバスのスレーブとなるＬＥＤ等による表示部及びドライバをもつ副基板側との間における、シリアルクロックラインＳＣＬとシリアルデータラインＳＤＡとの各信号線路を、それぞれ送信専用と受信専用の２線に分けて合計４線（ＳＣＬ−ＩＮ、ＳＣＬ−ＯＵＴ、ＳＤＡ−ＩＮ、ＳＤＡ−ＯＵＴ）とすることに固有の特徴を有する。
【００１１】
しかし、この特許文献２に記載のものも、従来からの通常の用法に従い、マスターとなる主基板側のシリアルクロックラインＳＣＬは、Ｉ２Ｃバス対応のバスバッファ（図中符号１１０ａ２）のＳＣＬ用の双方向性の入出力端子と接続し、かつ、主基板側のシリアルデータラインＳＤＡは、同じバスバッファ１１０ａ２のＳＤＡ用の双方向性の入出力端子と接続し、さらに、スレーブとなる副基板側のシリアルクロックラインＳＣＬは、主基板側とは別個独立の副基板側のバスバッファ（図中符号１１０ｃ）のＳＣＬ用の双方向性の入出力端子と接続し、かつ、副基板側のシリアルデータラインＳＤＡは、副基板側のバスバッファ１１０ｃのＳＤＡ用の双方向性の入出力端子と接続し、シリアルクロックラインＳＣＬ及びシリアルデータラインＳＤＡの各信号レベルの安定化等を図っている。
【００１２】
すなわち、Ｉ２Ｃバスによるシリアル通信方式を遊技機の分野に適用する場合、通常、マスター側とスレーブ側との基板が物理的に異なり、各基板はそれぞれ離れた位置に別個独立に設置されるため、少なくとも、マスター側のシリアルクロックラインＳＣＬは、スレーブ側と接続する前段においてＩ２Ｃバス対応のバスバッファのＳＣＬ用の双方向性の入出力端子（一般にＳＹ）と接続し、該入出力端子ＳＹから入力する信号を出力させる出力端子（一般にＴＹ）及び同入出力端子ＳＹから出力する信号を入力させる入力端子（一般にＲＹ）をスレーブ側に接続すると共に、マスター側のシリアルデータラインＳＤＡは、同様にスレーブ側と接続する前段において同じバスバッファのＳＤＡ用の双方向性の入出力端子（一般にＳＸ）と接続し、該入出力端子ＳＸから入力する信号を出力させる出力端子（一般にＴＸ）及び同入出力端子ＳＸから出力する信号を入力させる入力端子（一般にＲＸ）をスレーブ側に接続するというのが通常の用法である。
【００１３】
また、特許文献２のように信号線路の途中を４線としたり、あるいは、スレーブ側がマスタートランスミッタとして機能し、マスター側がレシーバとして機能する場合には、スレーブ側のシリアルクロックラインＳＣＬは、マスター側と接続する前段においてＩ２Ｃバス対応のバスバッファのＳＣＬ用の双方向性の入出力端子（一般にＳＹ）と接続し、該入出力端子ＳＹから入力する信号を出力させる出力端子（一般にＴＹ）及び同入出力端子ＳＹから出力する信号を入力させる入力端子（一般にＲＹ）をマスター側に接続すると共に、スレーブ側のシリアルデータラインＳＤＡは、同様にマスター側と接続する前段において同じバスバッファのＳＤＡ用の双方向性の入出力端子（一般にＳＸ）と接続し、該入出力端子ＳＸから入力する信号を出力させる出力端子（一般にＴＸ）及び同入出力端子ＳＸから出力する信号を入力させる入力端子（一般にＲＸ）をマスター側に接続するというのも通常の用法である。
【００１４】
ところで、Ｉ２Ｃバスの仕様によれば、８ビットの双方向シリアルデータ転送を、標準モードでは最高１００ｋｂｉｔ／ｓ、ファーストモードでは４００ｋｂｉｔ／ｓ、ハイスピードモードでは３．４Ｍｂｉｔ／ｓで行うことが可能であり、かつ、バスの静電容量が４００ｐＦ以下であれば、一つのバス上にＩＣをいくつでも接続することが可能であると謳われている。
【００１５】
しかし、実際に遊技機を設計している段階において経験したことであるが、上記と同様にＩ２Ｃバス対応のバスバッファの通常の用法にしたがって、マスター側のシリアルクロックラインＳＣＬを、スレーブ側と接続する前段においてＩ２Ｃバス対応のバスバッファのＳＣＬ用の双方向性の入出力端子（ＳＹ）と接続し、該入出力端子ＳＹから入力する信号を出力させる出力端子（ＴＹ）及び同入出力端子ＳＹから出力する信号を入力させる入力端子（ＲＹ）をスレーブ側に接続すると共に、マスター側のシリアルデータラインＳＤＡを、同様にスレーブ側と接続する前段において同じバスバッファのＳＤＡ用の双方向性の入出力端子（ＳＸ）と接続し、該入出力端子ＳＸから入力する信号を出力させる出力端子（ＴＸ）及び同入出力端子ＳＸから出力する信号を入力させる入力端子（ＲＹ）をスレーブ側に接続するものとし、そのうえで、１ＭＨｚファーストモードプラスコンパチブルのＩ２Ｃバスインタフェースをもつテキサス社（ＴＥＸＡＳ  ＩＮＳＴＲＵＭＥＮＴＳ）製の型番ＴＬＣ８２０８ＦＩのＬＥＤドライバを４０個程度用いてＬＥＤの駆動回路を構築した場合、シリアルクロックラインＳＣＬのクロック周波数が４００ｋＨｚを超えると通信が不安定になる問題が発生した。
【００１６】
バスの静電容量が４００ｐＦ以下かどうかは、ＬＥＤドライバの数の他、マスターとスレーブとの間のケーブル仕様、マスター及びスレーブの基板上のプリント配線パターン等が複雑に関連し、厳密に正しく数値評価することは困難である。仮に厳密に正しく数値評価できたとしても、バスの静電容量を抑えるために、ＬＥＤドライバの数やＬＥＤの数を減らすとなると、所定の電飾効果が犠牲にされる。予定するＬＥＤドライバ及びＬＥＤの数を減らさず所定の電飾効果を達成したいが、シリアルクロックラインＳＣＬのクロック周波数が４００ｋＨｚを超えると通信が不安定になるという本問題は、Ｉ２Ｃバス対応のバスバッファの伝達遅延の発生によるシリアルクロックラインＳＣＬの信号波形の鈍りが原因であった。
【００１７】
本発明の課題は、Ｉ２Ｃバスに代表される高速シリアルバスによるシリアル通信方式のメリットを損なうことなく、高速通信安定性を向上させ、所定の演出効果を達成できる遊技機を提供する点にある。
【課題を解決するための手段】
【００１８】
図７に例示するように、本発明は、シリアルクロックライン（ＳＣＬ）とシリアルデータライン（ＳＤＡ）との２ラインにてマスターとスレーブとの間で通信を行う高速シリアルバスにより、マスターとなるマイクロコントローラ（ＭＳＴ）とスレーブとなる複数の演出用ドライバ（ＬＤｒ０１・・・）との間を接続した遊技機を前提とする。
【００１９】
そして、前記マイクロコントローラ（ＭＳＴ）のシリアルデータライン（ＳＤＡ）と、前記演出用ドライバ（ＬＤｒ０１・・・）のシリアルデータライン（ＳＤＡ）との間を結ぶ線路中に、双方向に信号を入出力させる入出力端子と該入出力端子から入力する信号を出力させる出力端子及び前記入出力端子から出力する信号を入力させる入力端子をもつ双方向性のバスバッファ（ＢＵＳＢ）を接続している。
【００２０】
これと共に、前記マイクロコントローラ（ＭＳＴ）のシリアルクロックライン（ＳＣＬ）と、前記演出用ドライバ（ＬＤｒ０１・・・）のシリアルクロックライン（ＳＣＬ）との間を結ぶ線路中に、前記マイクロコントローラ（ＭＳＴ）からのシリアルクロックライン信号を前記バスバッファ（ＢＵＳＢ）を介さずに別経路で前記演出用ドライバ（ＬＤｒ０１・・・）に送信する送信素子（ＢＤ００）と、この送信素子（ＢＤ００）からの送信信号を受信する受信素子（ＢＤ０１・・・）とを接続している。
【００２１】
図８に例示するように、前記バスバッファ（ＢＵＳＢ）は、第１信号を双方向に入出力させる第１入出力端子（ＳＸ）と第１信号を出力させる第１出力端子（ＴＸ）及び第１信号を入力させる第１入力端子（ＲＸ）、並びに、第２信号を双方向に入出力させる第２入出力端子（ＳＹ）と第２信号を出力させる第２出力端子（ＴＹ）及び第２信号を入力させる第２入力端子（ＲＹ）を具備している。
【００２２】
図４に例示するように、前記演出用ドライバ（ＬＤｒ０１・・・）は、予め定めた所定の大分類にしたがってグループ分けした第１大グループに属するもの（ＬＤｒ０１〜ＬＤｒ１０，ＬＤｒ２０〜ＬＤｒ２８，ＬＤｒ３９〜ＬＤｒ４４）と、この第１大グループ以外の第２大グループに属するもの（ＬＤｒ１１〜ＬＤｒ１９，ＬＤｒ２９〜ＬＤｒ３８，ＬＤｒ４５〜ＬＤｒ４８）とを具備する。
【００２３】
図１０に例示するように、前記第１入出力端子（ＳＸ）及び前記第２入出力端子（ＳＹ）を前記マイクロコントローラ（ＭＳＴ）のシリアルデータライン（ＳＤＡ）に接続していると共に、
前記第１出力端子（ＴＸ）及び前記第１入力端子（ＲＸ）を前記第１大グループに属する演出用ドライバのシリアルデータライン（ＳＤＡ１）に接続し、かつ、
前記第２出力端子（ＴＹ）及び前記第２入力端子（ＲＹ）を前記第２大グループに属する演出用ドライバのシリアルデータライン（ＳＤＡ２）に接続している。
【００２４】
図４に例示するように、前記演出用ドライバは、予め定めた所定の中分類にしたがって複数の中グループにグループ分けしている（ＬＥＤ基板群Ａ，Ｂ，Ｃ，Ｄ，Ｅ，Ｆ）。
【００２５】
図６又は図７に例示するように、、
前記受信素子は、中グループ（ＬＥＤ基板群Ａ，Ｂ，Ｃ，Ｄ，Ｅ，Ｆ）に対応させて中グループ毎に設けており（ＢＤ０１，ＢＤ０２，ＢＤ０３，ＢＤ０４，ＢＤ０５，ＢＤ０６）、
中グループ毎に設ける前記受信素子の出力端子を、その中グループに属する演出用ドライバのシリアルクロックライン（ＳＣＬ）に接続している。
【００２６】
図４に例示するように、一つの中グループ（ＬＥＤ基板群Ａ，Ｂ，Ｃ，Ｄ，Ｅ，Ｆ）には、基板毎に分けた複数の小グループ（例えば、第２ＬＥＤ基板群Ｂなら、Ｂ０１，Ｂ０２，Ｂ０３）を含み、
小グループを構成する基板毎に、その小グループに属する演出用ドライバ及びこれにより駆動する演出用デバイスを実装している（例えば、基板Ｂ０１ならＬＤｒ１１〜１６及びこれらにより駆動するＬＥＤ、基板Ｂ０２ならＬＤｒ１７，１８及びこれらにより駆動するＬＥＤ、基板Ｂ０３ならＬＤｒ１９及びこれにより駆動するＬＥＤ）。
【００２７】
図２５又は図２６に例示するように、一つの中グループには、基板毎に分けた複数の小グループを含むが、図６又は図７のものと異なり、
中グループ毎に設ける前記受信素子（ＢＤ０１，ＢＤ０２，ＢＤ０３，ＢＤ０４，ＢＤ０５，ＢＤ０６）を実装する中グループ毎の中継基板（Ａ００，Ｂ００，Ｃ００，Ｄ００，Ｅ００，Ｆ００）に、その中グループに含まれる小グループに属する演出用ドライバを実装するようにしてもよい（例えば、第２ＬＥＤ基板群Ｂなら、受信素子ＢＤ０２を実装する中継基板Ｂ００に、ＬＤｒ１１〜１９を実装）。
【００２８】
図１９に例示するように、一つの前記演出用ドライバは、Ｉ２Ｃバス対応の多ビットＬＥＤドライバ（型番ＴＬＣ８２０８ＦＩ）から成り、
赤色発光端子（Ｒ）、緑色発光端子（Ｇ）、青色発光端子（Ｂ）をもつ一つの多色ＬＥＤを複数個集合させて（ＬＥＤ−７５８〜ＬＥＤ−７６５）、
各多色ＬＥＤの赤色発光端子（Ｒ）は、共通する一つの赤色発光用多ビットＬＥＤドライバ（ＬＤｒ３９）の各出力端子に接続し、かつ、
各多色ＬＥＤの緑色発光端子（Ｇ）は、共通する別の一つの緑色発光用多ビットＬＥＤドライバ（ＬＤｒ４０）の各出力端子に接続し、さらに、
各多色ＬＥＤの青色発光端子（Ｂ）は、共通する更に別の一つの青色発光用多ビットＬＥＤドライバ（ＬＤｒ４１）の各出力端子に接続している。
【発明の効果】
【００２９】
マイクロコントローラのシリアルデータラインと、演出用ドライバのシリアルデータラインとの間を結ぶ線路中に、双方向性のバスバッファを接続しているため、マスターとなるマイクロコントローラからスレーブとなる演出用ドライバにデータを送信でき、かつ、スレーブとなる演出用ドライバからマスターとなるマイクロコントローラにアクノリッジを返すことができる。しかも、マイクロコントローラのシリアルクロックラインと、演出用ドライバのシリアルクロックラインとの間を結ぶ線路中に、マイクロコントローラからのシリアルクロックライン信号をバスバッファを介さずに別経路で演出用ドライバに送信する送信素子と、この送信素子からの送信信号を受信する受信素子とを接続しているため、クロック信号の波形鈍りが生じるのを抑制でき、高速通信安定性を向上できる。
【００３０】
ちなみに、シリアルクロックラインを双方向性のバスバッファに接続する従来の通常の用法によれば、シリアルクロックラインＳＣＬのクロック周波数が４００ｋＨｚを超えると通信が不安定となっていたが、同じ数及び構成をもつ演出用ドライバの駆動回路において、本発明によれば、シリアルクロックラインＳＣＬのクロック周波数が６９４ｋＨｚまで安定に通信が行えた。
【００３１】
ところで、データ転送を行う場合、アドレス指定されたスレーブからマスターにアクノリッジ（ａｃｋｎｏｗｌｅｄｇｅ）が返る必要がある。アクノリッジ用のクロックパルスはマスターとなるマイクロコントローラで生成され、このアクノリッジ用のクロックパルスが生成されるとマスターはシリアルデータラインを開放し、スレーブとなる演出用ドライバは、アクノリッジ用のクロックパルスがＨ（ハイ又は論理１）状態のときにシリアルデータラインがＬ（ロー又は論理０）状態で安定するように、アクノリッジ用のクロックパルスの出力に合わせてシリアルデータラインをＬ（ロー又は論理０）状態にする。これにより、スレーブとなる演出用ドライバからマスターとなるマイクロコントローラに正常にアクノリッジが返る。
【００３２】
ただし、スレーブとなる演出用ドライバがアドレス確認を行うことができない場合（例えば、リアルタイム機能を実行しているために受信できないような場合）、あるいは、アドレスを確認した場合でも、途中でデータバイトを受信できなくなったときには、マスターによってデータ転送が途中で打ち切られることが必要となる。この場合、スレーブとなる演出用ドライバは、次に送られてくる最初のデータバイトに対してアクノリッジを生成しないこと、すなわち非アクノリッジによってそのことを示す。この非アクノリッジを示す場合、演出用ドライバは、アクノリッジ用のクロックパルスがＨ（ハイ又は論理１）状態のときにシリアルデータラインがＨ（ハイ又は論理１）状態に維持されるように、シリアルデータラインをＨ（ハイ又は論理１）状態に保つ。
【００３３】
非アクノリッジが返った場合、マスターとなるマイクロコントローラは、シリアルクロックラインがＨ（ハイ又は論理１）のときに、シリアルデータラインをＬ（ロー又は論理０）からＨ（ハイ又は論理１）に変化させてストップコンディション（Ｓｔｏｐ  ｃｏｎｄｉｔｉｏｎ）を生成し、データ送信を中止したり、シリアルクロックラインがＨ（ハイ又は論理１）のときに、シリアルデータラインをＨ（ハイ又は論理１）からＬ（ロー又は論理０）に変化させてスタートコンディション（Ｓｔａｒｔ  ｃｏｎｄｉｔｉｏｎ）を生成し、再度又は新たなデータ送信を始めることができる。
【００３４】
アクノリッジ又は非アクノリッジを返すルートは、シリアルデータラインの線路中に接続した双方向性のバスバッファにより安定的に担保され、遊技機の演出用ドライバを駆動させるのに何らの障害もない。従って、シリアル通信方式のメリットを損なうことなく、かつ、高速通信安定性を向上させたえうで、所定の演出効果を達成することができる。
【００３５】
バスバッファの第１入出力端子及び第２入出力端子をマイクロコントローラのシリアルデータラインに接続し、バスバッファの第１出力端子及び第１入力端子を第１大グループに属する演出用ドライバのシリアルデータラインに接続し、かつ、バスバッファの第２出力端子及び第２入力端子を第２大グループに属する演出用ドライバのシリアルデータラインに接続した場合には、バスバッファの第１入出力端子、第１出力端子及び第１入力端子側には、第１大グループに属する数だけの、すなわち全体よりも少ない数の演出用ドライバがぶら下がり、バスバッファの第２入出力端子並びに第２出力端子及び第２入力端子側には、第２大グループに属する数だけの、すなわち同様に全体よりも少ない数の演出用ドライバがぶら下がり、それぞれ一本のシリアルデータラインから枝分かれするファンアウト数を抑制でき、バスバッファの効率的な利用を図ることができると共に、シリアルデータラインの信号の安定性を良好に保つことができる。
【００３６】
シリアルクロックラインの線路中に接続する受信素子を、中グループに対応させて中グループ毎に設け、中グループ毎の受信素子の出力端子を、その中グループに属する演出用ドライバのシリアルクロックラインに接続した場合には、一つの受信素子の出力端子から演出用ドライバの接続のために枝分かれするファンアウト数を抑制でき、シリアルクロックラインの信号を一層の安定化することができる。
【００３７】
一つの中グループには、基板毎に分けた複数の小グループを含み、小グループを構成する基板毎に、その小グループに属する演出用ドライバ及びこれにより駆動する演出用デバイスを実装する場合には、小グループを構成する基板には、基本的に、シリアルクロックラインとシリアルデータラインの２ラインを入力させることで足り、少ない本数のハーネス構成にできる。
【００３８】
一方、中グループ毎に設ける受信素子を実装する中グループ毎の中継基板に、その中グループに含まれる小グループに属する演出用ドライバを実装する場合には、中継基板と演出用デバイスを実装する基板との間のハーネスの本数は増えるが、中継基板のオンボード内で、シリアルクロックライン及びシリアルデータラインの配線パターンをクローズドに形成でき、通信の信頼性を向上することができる。
【００３９】
一つの演出用ドライバは、Ｉ２Ｃバス対応の多ビットＬＥＤドライバから成り、赤色発光端子、緑色発光端子、青色発光端子をもつ一つの多色ＬＥＤを複数個集合させて、  各多色ＬＥＤの赤色発光端子は、共通する一つの赤色発光用多ビットＬＥＤドライバの各出力端子に接続し、かつ、各多色ＬＥＤの緑色発光端子は、共通する別の一つの緑色発光用多ビットＬＥＤドライバの各出力端子に接続し、さらに、各多色ＬＥＤの青色発光端子は、共通する更に別の一つの青色発光用多ビットＬＥＤドライバの各出力端子に接続した場合には、多色ＬＥＤの集合体を、特定の色で統一的に点灯させることができ、エラー報知等の遊技状態の表示装置等として好適なものにできる。
【図面の簡単な説明】
【００４０】
【図１】図１は、本発明にかかる遊技機の正面図である。
【図２】図２は、遊技盤部分の正面図である。
【図３】図３は、電飾の演出用デバイスとなるＬＥＤを実装するセンター飾りユニット部分のＬＥＤ基板群の正面図である。
【図４】図４は、ＬＥＤドライバのグループ分けテーブルである。
【図５】図５は、ＬＥＤドライバに用いるＩ２Ｃバス対応の８ビットＬＥＤドライバ（ＴＬＣ８２０８ＦＩ）の内部の要部ブロック図であって、日本テキサスインスツルメンツ株式会社発行のＴＬＣ８２０８ＦＩの資料から引用した図である。
【図６】図６は、遊技機の内部に設ける制御装置の第１実施例にかかる全体ブロック図である。
【図７】図７は、Ｉ２Ｃバスによる高速シリアルバスを遊技機の制御装置における周辺制御部とＬＥＤドライバとの間に適用した第１実施例にかかる要部回路図である。
【図８】図８は、シリアルデータラインに接続する双方向性のバスバッファ（ＴＬ９６００ＰＷ）の内部の回路図である。
【図９】図９は、シリアルクロックラインに接続する送信素子及び受信素子に用いる汎用ロジックＩＣ（ＳＮ７４ＡＨＣＴ５４１ＰＷＲ）の内部の回路図である。
【図１０】図１０は、Ｉ２Ｃバスのマスターとなるマイクロコントローラ側の基板の要部回路図である。
【図１１】図１１は、第１ＬＥＤ基板群Ａの第１回路図である。
【図１２】図１２は、第１ＬＥＤ基板群Ａの第２回路図である。
【図１３】図１３は、第２ＬＥＤ基板群Ｂの第１回路図である。
【図１４】図１４は、第２ＬＥＤ基板群Ｂの第２回路図である。
【図１５】図１５は、第３ＬＥＤ基板群Ｃの第１回路図である。
【図１６】図１６は、第３ＬＥＤ基板群Ｃの第２回路図である。
【図１７】図１７は、第４ＬＥＤ基板群Ｄの第１回路図である。
【図１８】図１８は、第４ＬＥＤ基板群Ｄの第２回路図である。
【図１９】図１９は、第５ＬＥＤ基板群Ｅの第１回路図である。
【図２０】図２０は、第５ＬＥＤ基板群Ｅの第２回路図である。
【図２１】図２１は、第６ＬＥＤ基板群Ｆの回路図である。
【図２２】図２２は、スレーブとなるＬＥＤドライバの第１アドレスマップである。
【図２３】図２３は、スレーブとなるＬＥＤドライバの第２アドレスマップである。
【図２４】図２４は、Ｉ２Ｃバスのシリアルクロックラインとシリアルデータラインによるデータ転送を説明するタイムチャートである。
【図２５】図２５は、遊技機の内部に設ける制御装置の第２実施例にかかる全体ブロック図である。
【図２６】図２６は、Ｉ２Ｃバスによる高速シリアルバスを遊技機の制御装置における周辺制御部とＬＥＤドライバとの間に適用した第２実施例にかかる要部回路図である。
【図２７】図２７は、シリアルクロックラインに接続する送信素子及び受信素子に用いる変形バリエーションを示す回路図である。
【発明を実施するための形態】
【００４１】
図１は本発明を適用するパチンコ遊技機１を示し、遊技枠１０に本体１１を開扉可能に支持している。本体１１の前面上部には、丸窓１２にガラス１３を嵌めたフロント扉１４を有し、その内方に遊技盤２を備える。フロント扉１４の下には、貸玉及び賞玉を受ける上受皿３１、内方で溢れた玉を受ける下受皿３２、遊技盤２に１分間について１００個に近い数のパチンコ玉を連続的に打ち出し、回転操作角度によりパチンコ玉の打ち出し強さを調整できる発射ハンドル４、効果音やＢＧＭ等を出音する左右スピーカ５１，５２を備える。４０は、発射ハンドル４の回転操作中に玉の打ち出しを一時休止させる発射停止ボタンである。
【００４２】
フロント扉１４には、独特の意匠を凝らした半透明樹脂素材から成る装飾ランプカバー６１，６２，６３，６４，６５を備え、内蔵する前扉右上飾りＬＥＤ基板Ｅ０１、前扉右下飾りＬＥＤ基板Ｅ０２、前扉左下飾りＬＥＤ基板Ｅ０３、前扉左上飾りＬＥＤ基板Ｅ０４に各々実装する演出用デバイスたる多数のＬＥＤにより、遊技中及び遊技待ち状態時、所定の電飾演出がされる。これと共に、エラー発生時には、前扉右上飾りＬＥＤ基板Ｅ０１に実装したＬＥＤにより、右上の装飾ランプカバー６３をそのエラー種別に応じた色及び点滅態様で点灯させ、異常が生じた旨を遊技者及び遊技場係員に知らせる。
【００４３】
尚、遊技待ち状態時の電飾演出は、遊技時の遊技状態に応じた華やかな電飾演出と異なり、大半のＬＥＤは消灯（オフ）、又は、所定の省エネモードでの点灯となる。以下、他のＬＥＤ基板による、遊技待ち状態時の電飾演出においても同様である。
【００４４】
上受皿３１は、主要部分を全体的に半透明樹脂素材で形成しており、内蔵する受皿左飾りＬＥＤ基板Ｆ０１、受皿中飾りＬＥＤ基板Ｆ０２、受皿右飾りＬＥＤ基板Ｆ０３、受皿下飾りＬＥＤ基板Ｆ０４に各々実装する演出用デバイスたる多数のＬＥＤにより、遊技中及び遊技待ち状態時、所定の電飾演出がされる。
【００４５】
図２に示すように、遊技盤２には、次の１）〜８）の遊技部品を備える。
１）センター飾りユニット７
このセンター飾りユニット７は、中央部に比較的大型のカラー液晶表示器から成る演出表示装置７０を備え、この表示装置７０を取り囲むように、タイトル表示部等をもつ上装飾部７１、ワープルート玉入口等をもつ左装飾部７２、右サイド飾りと一体化させた右装飾部７３、玉ステージ及び玉出口等をもつ下装飾部７４から成る半透明樹脂製装飾枠７００を有する。
【００４６】
上装飾部７１は、内蔵するセンター飾りＬＥＤ基板１（Ａ０１）、センター飾りＬＥＤ基板２（Ａ０２）、センター飾りＬＥＤ基板３（Ａ０３）、センター飾りＬＥＤ基板４（Ａ０４）、センター飾りＬＥＤ基板５（Ｂ０１）及びセンター飾りＬＥＤ基板６（Ｂ０２）に各実装するＬＥＤにより、遊技中及び遊技待ち状態時、所定の電飾演出がされる。
【００４７】
左装飾部７２は、内蔵するセンター飾りＬＥＤ基板７（Ｂ０３）に実装するＬＥＤにより、遊技中及び遊技待ち状態時、所定の電飾演出がされる。
【００４８】
右装飾部７３は、内蔵するセンター飾りＬＥＤ基板８（Ｃ０１）及びセンター飾りＬＥＤ基板９（Ｃ０２）に各実装するＬＥＤにより、遊技中及び遊技待ち状態時、所定の電飾演出がされる。
【００４９】
下装飾部７４は、内蔵するセンター飾りＬＥＤ基板１０（Ｄ０１）、センター飾りＬＥＤ基板１１（Ｄ０２）及びセンター飾りＬＥＤ基板１２（Ｄ０３）に各実装するＬＥＤにより、遊技中及び遊技待ち状態時、所定の電飾演出がされる。
【００５０】
演出表示装置７０は、後記始動口８１，８２へのパチンコ玉の入賞を契機に、後記特別図柄表示装置ＳＤでの特別図柄の変動及び停止と同期して、その画面上に、左演出図柄、中演出図柄、右演出図柄を変動及び停止させる。また、これらの演出図柄の背景には、動画及び又は静止画からなる所定の背景を表示させる。
【００５１】
また、所定条件下、各演出図柄の変動中に、左右の演出図柄を同一図柄で仮停止させた状態で中演出図柄の変動と共に背景に発展性のある動画を展開させることにより、大当たりの当選を期待させるリーチ演出を出現させる。さらに、所定条件下、主に遊技機の内部状態、すなわち低確遊技か高確遊技か、時短状態か非時短状態かの違いに応じて、演出図柄の背景表示を変更させる。
【００５２】
２）上始動口８１及び下始動口８２
上始動口８１は、常時玉一個の受入れを許す通常入賞口から成る。
【００５３】
下始動口８２は、上始動口８１の直下に配置され、左右一対の花弁８ａ，８ｂをもつ電動チューリップから成る。常時、一対の花弁８ａ，８ｂは起立状態にあり、上始動口８１と共に外部に対して壁を形成して、内部へのパチンコ玉の受入れを阻止し、図示のとおり左の花弁８ａが左に、右の花弁８ｂが右にそれぞれ倒れる開放状態となって、初めて内部へのパチンコ玉の受入れを許す。その開放状態は、後記ゲートＧＴに対する玉の通過時に起動する普通図柄抽選での当選を条件に生起させるが、その当選がし難く且つ当選しても極短時間しか開放状態とならない相対的に入賞困難な非時短状態時の開放作動態様と、その当選がし易く且つ当選時に十分長い開放状態となる相対的に入賞容易な時短状態時の開放作動態様とに作動変更可能としている。
【００５４】
各始動口８１，８２へのパチンコ玉の入賞すなわち始動入賞が一個あるごとに、所定数例えば３個の賞玉を払出すと共に、例えば最大４個とした所定の保留上限内で、大当たりの当否を決める特別図柄抽選を起動し、例えば０〜５９８の所定範囲内で高速更新する後記主制御部ＭＣで定義する大当たり抽選用乱数庫から一つの大当たり抽選用乱数を取得し、後記主制御部ＭＣの所定記憶エリアに取得順に記憶する。
【００５５】
記憶された大当たり抽選用乱数は、最先のものから順に大当たり判定処理の対象となる。この判定処理が実行されると、大当たり抽選用乱数の記憶エリアに空をつくり、所定の保留上限内で、新たに生じる始動入賞時に取得した大当たり抽選用乱数が後詰めで記憶される。保留上限いっぱいまで抽選データが貯まった状態で、新たに生じる始動入賞は、賞玉を払出す対象にはなるが、大当たり抽選の対象からは除外される。
【００５６】
大当たりの当選確率を相対的に低値とした低確遊技下、大当たり抽選用乱数が、大当たり抽選用乱数の取り得る５９９個の数値範囲（０〜５９８）内で予め特定した３種類の大当たり当選数値の何れかに一致している判定がされると、大当たりの当選、これ以外は大当たりの非当選の外れとなる。低確遊技下、大当たりの当選確率は３／５９９＝１／１９９．６７、約１／２００である。
【００５７】
一方、大当たりの当選確率を相対的に高値とした高確遊技下、大当たり抽選用乱数が、大当たり抽選用乱数の取り得る数値範囲内で予め特定した１２種類の大当たり当選数値の何れかに一致している判定がされると、大当たりの当選、これ以外は大当たりの非当選の外れとなる。高確遊技下、大当たりの当選確率は１２／５９９＝１／４９．９２、約１／５０である。
【００５８】
上始動口８１及び下始動口８２は、内蔵する始動口飾りＬＥＤ基板（Ｄ０６）に実装するＬＥＤにより、遊技中及び遊技待ち状態時、所定の電飾演出がされる。
【００５９】
３）大入賞口９
大入賞口９は、下始動口８２の直下に位置する遊技盤２の下領域に配置され、特別図柄表示装置ＳＤ上の特別図柄による大当たり停止、及び、この停止と同時にされる演出表示装置７０上での左、中、右の演出図柄の三つ揃い等による大当たり停止により大当たりの当選が導出され、この大当たりの当選導出後の大当たり遊技時に、前方を覆うアタッカー型の可動部材９０を手前に倒すことにより開かれ、パチンコ玉の入賞を著しく容易にする。大入賞口９への入賞一個につき所定数例えば１３個の賞玉を払出す。
【００６０】
大入賞口９は、所定の最大開放時間にわたる１ラウンドの開放毎に、所定の最大入賞数例えば１０個のパチンコ玉の入賞を許容する。最大入賞数に達する入賞があるか又は最大開放時間例えば３０秒を経過すると１ラウンドが終了して、大入賞口９は一旦閉鎖され、２秒程度の所定インターバルを経て再度開放され、所定の最大継続ラウンド数について繰り返す。
【００６１】
始動入賞時、大当たり抽選用乱数の取得に続いて、例えば０〜９９の所定範囲内で高速更新する主制御部ＭＣで定義する振分抽選用乱数庫から一つの振分抽選用乱数を取得し、大当たり抽選用乱数と共に取得順に記憶エリアに記憶させている。大当たりの当選が判定された時、取得した振分抽選用乱数により、所定の振分率に応じて、大当たり遊技時の最大継続ラウンド数を、２ラウンド、４ラウンド、８ラウンドの何れかに振り分けると共に、大当たり遊技後の遊技状態を、低確遊技か高確遊技か、非時短状態か時短状態かに各振り分ける。
【００６２】
大入賞口９は、内蔵する大入賞口飾りＬＥＤ基板（Ｄ０５）に実装するＬＥＤにより、遊技中及び遊技待ち状態時、所定の電飾演出がされる。
【００６３】
４）ゲートＧＴ
ゲートＧＴへの玉通過（上から入った玉は下に抜けて遊技盤２に放たれる）により、例えば最大４個とした所定の普図保留上限内で普通図柄抽選を起動し、例えば０〜２５０の所定範囲内で高速更新する主制御部ＭＣで定義する普通図柄抽選用乱数庫から一つの普通図柄抽選用乱数を取得し、主制御部ＭＣの所定記憶エリアに取得順に記憶する。
【００６４】
普通図柄抽選用乱数は、最先のものから順に普通図柄の当り判定処理の対象となる。この判定処理が実行されると、記憶エリアに空をつくり、普図保留上限内で、新たに生じるゲートＧＴへの玉通過に基づく普通図柄抽選用乱数が後詰めで記憶される。普図保留上限いっぱいまで抽選データが貯まった状態で、新たに生じるゲートＧＴへの玉通過は、普通図柄抽選の対象から除外される。
【００６５】
普通図柄抽選が起動されると、後記普通図柄表示装置ＮＤでの緑ランプＧＬと赤ランプＲＬの交互点灯による普通図柄の変動及びその変動の停止により当否が導出される。緑ランプＧＬでの点灯停止により当選が導出されると、下始動口８２の花弁８ａ，８ｂが開かれる。赤ランプＲＬでの点灯停止は外れであり、花弁８ａ，８ｂは開かない。非時短状態時の開放作動態様、時短状態時の開放作動態様は次のＩ）ＩＩ）のとおりである。
【００６６】
Ｉ）非時短状態時の開放作動態様
普通図柄抽選での当選確率は、２／２５１＝１／１２５．５、普通図柄表示装置ＮＤ上の普通図柄の変動時間は、低確遊技時２．２４秒、高確遊技時０．５秒、当選時の下始動口８２の開放仕様は、０．２秒の開放を１回についてだけする。従って、非時短状態時、下始動口８２はあまり開かず、開いたとしても入賞は容易でなく、下始動口８２への入賞はほとんど期待できない。
【００６７】
ＩＩ）時短状態時の開放作動態様
普通図柄抽選での当選確率は、２４９／２５１＝１／１．００８、普通図柄表示装置ＮＤ上の普通図柄の変動時間は、低確遊技時も高確遊技時も０．５秒、当選時の下始動口８２の開放仕様は、１秒の開放を例えば０．７４８秒の閉鎖期間を挟んで最大５回について繰り返す。ただし、普通図柄抽選の当選一回についての最大入賞数例えば１０個の入賞があると、その時点で開放作動は打ち切られる。時短状態時は、下始動口８２が頻繁に開き、入賞も容易になる。
【００６８】
５）左サイド入賞ユニット９１
この左サイド入賞ユニット９１には、入賞１個につき所定数例えば１０個の賞玉を払出す左上入賞口２４、同左中入賞口２５、同左下入賞口２６を備える。この入賞ユニット９１は、内蔵する左サイド飾りＬＥＤ基板（Ｄ０４）に実装するＬＥＤにより、遊技中及び遊技待ち状態時、所定の電飾演出がされる。
【００６９】
６）右サイド入賞ユニット９２
この右サイド入賞ユニット９２には、入賞１個につき所定数例えば１０個の賞玉を払出す右入賞口２７を備える。この入賞ユニット９２は、センター飾りユニット７の右下に連続的に設けられ、内蔵する右サイド飾りＬＥＤ基板（Ｄ０７）に実装するＬＥＤにより、遊技中及び遊技待ち状態時、所定の電飾演出がされる。
【００７０】
７）表示器ボード９３
この表示器ボード９３には、７セグメントＬＥＤ（七つの構成点灯線分の組合せにより表示パターンを変化させる発光ダイオード）から成る特別図柄表示装置ＳＤ、緑ランプＧＬと赤ランプＲＬとから成る普通図柄表示装置ＮＤ、大当たり抽選用乱数の保留記憶数を表示させる複数のランプから成る特別図柄保留玉表示器Ｍ、普通図柄抽選用乱数の保留記憶数を表示させる複数のランプから成る普通図柄保留玉表示器Ｊ、遊技状態が、低確遊技か高確遊技か、非時短状態か時短状態か、正常かエラーか等を表示させる複数のランプから成る遊技状態表示器Ｋを備える。この表示器ボード９３は、センター飾りユニット７の右装飾部７３の下方に設けている。
【００７１】
８）その他
その他、遊技盤２には、略円形の遊技領域２００を区画し且つ発射ハンドル４により打出すパチンコ玉を導くレール２１、玉戻り防止片２２、玉止め２３、パチンコ玉の流下方向を変化させる風車２８、入賞を逃したパチンコ玉を排出するアウト口２９を備える。また、遊技領域２００には独特のゲージに従い、多数の遊技釘２０が打たれている。
【００７２】
図３に、センター飾りユニット７の各装飾部７１，７２，７３，７４の背後に対応させて内蔵するセンター飾りＬＥＤ基板Ａ０１〜Ａ１２の物理的配置図を示す。
【００７３】
センター飾りＬＥＤ基板１（Ａ０１）には、赤色ＬＥＤを８個（ＬＥＤ−Ｒ０１〜ＬＥＤ−Ｒ０８）、青色ＬＥＤを１２個（ＬＥＤ−Ｂ０１〜ＬＥＤ−Ｂ１２）、多色ＬＥＤを４個（ＬＥＤ−７０１〜ＬＥＤ−７０４）実装している。赤色ＬＥＤは、赤の発光色をもつＬＥＤである。青色ＬＥＤは、青の発光色をもつＬＥＤである。多色ＬＥＤは、赤色発光端子、緑色発光端子、青色発光端子をもち、７色乃至フルカラーの発光色に制御可能なＬＥＤである。以下、同様である。
【００７４】
センター飾りＬＥＤ基板２（Ａ０２）には、多色ＬＥＤを７個（ＬＥＤ−７０５〜ＬＥＤ−７１１）実装している。センター飾りＬＥＤ基板３（Ａ０３）には、多色ＬＥＤを１個（ＬＥＤ−７１２）実装している。センター飾りＬＥＤ基板４（Ａ０４）には、多色ＬＥＤを８個（ＬＥＤ−７１３〜ＬＥＤ−７２０）実装している。
【００７５】
センター飾りＬＥＤ基板５（Ｂ０１）には、多色ＬＥＤを１６個（ＬＥＤ−７２１〜ＬＥＤ−７３６）実装している。センター飾りＬＥＤ基板６（Ｂ０２）には、多色ＬＥＤを２個（ＬＥＤ−７３７，ＬＥＤ−７３８）、白色ＬＥＤを７個（ＬＥＤ−Ｗ０１〜ＬＥＤ−Ｗ０７）、青色ＬＥＤを３個（ＬＥＤ−Ｂ１３〜ＬＥＤ−Ｂ１５）実装している。センター飾りＬＥＤ基板７（Ｂ０３）には、白色ＬＥＤを５個（ＬＥＤ−Ｗ０８〜ＬＥＤ−Ｗ１２）、緑色ＬＥＤを３個（ＬＥＤ−Ｇ０１〜ＬＥＤ−Ｇ０３）実装している。白色ＬＥＤは、白の発光色をもつＬＥＤである。緑色ＬＥＤは、緑の発光色をもつＬＥＤである。以下、同様である。
【００７６】
センター飾りＬＥＤ基板８（Ｃ０１）には、白色ＬＥＤを１６個（ＬＥＤ−Ｗ１３〜ＬＥＤ−Ｗ２８）実装している。センター飾りＬＥＤ基板９（Ｃ０２）には、白色ＬＥＤを１８個（ＬＥＤ−Ｗ２９〜ＬＥＤ−Ｗ４６）、多色ＬＥＤを１２個（ＬＥＤ−７３９〜ＬＥＤ−７５０）、緑色ＬＥＤを２個（ＬＥＤ−Ｇ０４，ＬＥＤ−Ｇ０５）実装している。
【００７７】
センター飾りＬＥＤ基板１０（Ｄ０１）には、多色ＬＥＤを７個（ＬＥＤ−７５１〜ＬＥＤ−７５７）、緑色ＬＥＤを３個（ＬＥＤ−Ｇ０６〜ＬＥＤ−Ｇ０８）実装している。センター飾りＬＥＤ基板１１（Ｄ０２）には、青色ＬＥＤを８個（ＬＥＤ−Ｂ１６〜ＬＥＤ−Ｂ２３）実装している。センター飾りＬＥＤ基板１２（Ｄ０３）には、青色ＬＥＤを８個（ＬＥＤ−Ｂ２４〜ＬＥＤ−Ｂ３１）実装している。
【００７８】
なお、基板図は省略したが、左サイド飾りＬＥＤ基板（Ｄ０４）には、赤色ＬＥＤを４個（ＬＥＤ−Ｒ０９〜ＬＥＤ−Ｒ１２）、緑色ＬＥＤを４個（ＬＥＤ−Ｇ０９〜ＬＥＤ−Ｇ１２）、青色ＬＥＤを４個（ＬＥＤ−Ｂ３２〜ＬＥＤ−Ｂ３５）、白色ＬＥＤを４個（ＬＥＤ−Ｗ４７〜ＬＥＤ−Ｗ５０）実装している。大入賞口飾りＬＥＤ基板（Ｄ０５）には、赤色ＬＥＤを２個（ＬＥＤ−Ｒ１３，ＬＥＤ−Ｒ１４）、緑色ＬＥＤを２個（ＬＥＤ−Ｇ１３，ＬＥＤ−Ｇ１４）、青色ＬＥＤを２個（ＬＥＤ−Ｂ３６，ＬＥＤ−Ｂ３７）、白色ＬＥＤを２個（ＬＥＤ−Ｗ５１，ＬＥＤ−Ｗ５２）実装している。
【００７９】
また、始動口飾りＬＥＤ基板（Ｄ０６）には、赤色ＬＥＤを２個（ＬＥＤ−Ｒ１５，ＬＥＤ−Ｒ１６）、緑色ＬＥＤを２個（ＬＥＤ−Ｇ１５，ＬＥＤ−Ｇ１６）、青色ＬＥＤを２個（ＬＥＤ−Ｂ３８，ＬＥＤ−Ｂ３９）、白色ＬＥＤを２個（ＬＥＤ−Ｗ５３，ＬＥＤ−Ｗ５４）実装している。右サイド飾りＬＥＤ基板（Ｄ０７）には、赤色ＬＥＤを２個（ＬＥＤ−Ｒ１７，ＬＥＤ−Ｒ１８）、緑色ＬＥＤを２個（ＬＥＤ−Ｇ１７，ＬＥＤ−Ｇ１８）、青色ＬＥＤを２個（ＬＥＤ−Ｂ４０，ＬＥＤ−Ｂ４１）、白色ＬＥＤを２個（ＬＥＤ−Ｗ５５，ＬＥＤ−Ｗ５６）実装している。
【００８０】
さらに、前扉右上飾りＬＥＤ基板（Ｅ０１）には、多色ＬＥＤを８個（ＬＥＤ−７５８〜ＬＥＤ−７６５）実装している。前扉右下飾りＬＥＤ基板（Ｅ０２）には、赤色ＬＥＤを２個（ＬＥＤ−Ｒ１９，ＬＥＤ−Ｒ２０）、緑色ＬＥＤを２個（ＬＥＤ−Ｇ１９，ＬＥＤ−Ｇ２０）、青色ＬＥＤを２個（ＬＥＤ−Ｂ４２，ＬＥＤ−Ｂ４３）、白色ＬＥＤを２個（ＬＥＤ−Ｗ５７，ＬＥＤ−Ｗ５８）実装している。
【００８１】
前扉左下飾りＬＥＤ基板（Ｅ０３）には、赤色ＬＥＤを２個（ＬＥＤ−Ｒ２１，ＬＥＤ−Ｒ２２）、緑色ＬＥＤを２個（ＬＥＤ−Ｇ２１，ＬＥＤ−Ｇ２２）、青色ＬＥＤを２個（ＬＥＤ−Ｂ４４，ＬＥＤ−Ｂ４５）、白色ＬＥＤを２個（ＬＥＤ−Ｗ５９，ＬＥＤ−Ｗ６０）実装している。前扉左上飾りＬＥＤ基板（Ｅ０４）には、赤色ＬＥＤを２個（ＬＥＤ−Ｒ２３，ＬＥＤ−Ｒ２４）、緑色ＬＥＤを２個（ＬＥＤ−Ｇ２３，ＬＥＤ−Ｇ２４）、青色ＬＥＤを２個（ＬＥＤ−Ｂ４６，ＬＥＤ−Ｂ４７）、白色ＬＥＤを２個（ＬＥＤ−Ｗ６１，ＬＥＤ−Ｗ６２）実装している。
【００８２】
受皿左飾りＬＥＤ基板（Ｆ０１）には、赤色ＬＥＤを２個（ＬＥＤ−Ｒ２５，ＬＥＤ−Ｒ２６）、緑色ＬＥＤを２個（ＬＥＤ−Ｇ２５，ＬＥＤ−Ｇ２６）、青色ＬＥＤを２個（ＬＥＤ−Ｂ４８，ＬＥＤ−Ｂ４９）、白色ＬＥＤを２個（ＬＥＤ−Ｗ６３，ＬＥＤ−Ｗ６４）実装している。受皿中飾りＬＥＤ基板（Ｆ０２）には、赤色ＬＥＤを２個（ＬＥＤ−Ｒ２７，ＬＥＤ−Ｒ２８）、緑色ＬＥＤを２個（ＬＥＤ−Ｇ２７，ＬＥＤ−Ｇ２８）、青色ＬＥＤを２個（ＬＥＤ−Ｂ５０，ＬＥＤ−Ｂ５１）、白色ＬＥＤを２個（ＬＥＤ−Ｗ６５，ＬＥＤ−Ｗ６６）実装している。
【００８３】
受皿右飾りＬＥＤ基板（Ｆ０３）には、赤色ＬＥＤを２個（ＬＥＤ−Ｒ２９，ＬＥＤ−Ｒ３０）、緑色ＬＥＤを２個（ＬＥＤ−Ｇ２９，ＬＥＤ−Ｇ３０）、青色ＬＥＤを２個（ＬＥＤ−Ｂ５２，ＬＥＤ−Ｂ５３）、白色ＬＥＤを２個（ＬＥＤ−Ｗ６７，ＬＥＤ−Ｗ６８）実装している。受皿下飾りＬＥＤ基板（Ｆ０４）には、赤色ＬＥＤを２個（ＬＥＤ−Ｒ３１，ＬＥＤ−Ｒ３２）、緑色ＬＥＤを２個（ＬＥＤ−Ｇ３１，ＬＥＤ−Ｇ３２）、青色ＬＥＤを２個（ＬＥＤ−Ｂ５４，ＬＥＤ−Ｂ５５）、白色ＬＥＤを２個（ＬＥＤ−Ｗ６９，ＬＥＤ−Ｗ７０）実装している。
【００８４】
すなわち、集計すると、
多色ＬＥＤは、ＬＥＤ−７０１〜ＬＥＤ−７６５の６５個あり、
赤色ＬＥＤは、ＬＥＤ−Ｒ０１〜ＬＥＤ−Ｒ３２の３２個あり、
緑色ＬＥＤは、ＬＥＤ−Ｇ０１〜ＬＥＤ−Ｇ３２の３２個あり、
青色ＬＥＤは、ＬＥＤ−Ｂ０１〜ＬＥＤ−Ｂ５５の５５個あり、
白色ＬＥＤは、ＬＥＤ−Ｗ０１〜ＬＥＤ−Ｗ７０の７０個あり、
全部でＬＥＤは２５４個ある。
【００８５】
図４に示すように、上記した各々のセンター飾りＬＥＤ基板１〜１２（Ａ０１〜０４，Ｂ０１〜０３，Ｃ０１〜０２，Ｄ０１〜０３）、並びに、左サイド飾りＬＥＤ基板（Ｄ０４）、大入賞口飾りＬＥＤ基板（Ｄ０５）、始動口飾りＬＥＤ基板（Ｄ０６）、右サイド飾りＬＥＤ基板（Ｄ０７）、前扉右上飾りＬＥＤ基板（Ｅ０１）、前扉右下飾りＬＥＤ基板（Ｅ０２）、前扉左下飾りＬＥＤ基板（Ｅ０３）、前扉左上飾りＬＥＤ基板（Ｅ０４）、受皿左飾りＬＥＤ基板（Ｆ０１）、受皿中飾りＬＥＤ基板（Ｆ０２）、受皿右飾りＬＥＤ基板（Ｆ０３）、受皿下飾りＬＥＤ基板（Ｆ０４）は、基板毎に分かれる小グループを構成している。
【００８６】
原則的に、各小グループ毎すなわち各基板毎に実装するＬＥＤの駆動に必要な信号端子数に応じて、演出用ドライバたるＬＥＤドライバ（ＬＤｒ０１〜ＬＤｒ４８）を各基板毎に対応づけて設けている。ただし、例外的に、センター飾りＬＥＤ基板３（Ａ０３）には多色ＬＥＤ（ＬＥＤ−７１２）を１個のみ実装しているだけであるため、このセンター飾りＬＥＤ基板３（Ａ０３）の多色ＬＥＤ（ＬＥＤ−７１２）は、センター飾りＬＥＤ基板２（Ａ０２）に対応づけて設けるＬＥＤドライバ（ＬＤｒ０７）にて駆動している。
【００８７】
センター飾りＬＥＤ基板１（Ａ０１）、センター飾りＬＥＤ基板２（Ａ０２）、センター飾りＬＥＤ基板３（Ａ０３）、センター飾りＬＥＤ基板４（Ａ０４）は、センター飾りユニット７の上装飾部７１の背後に互いに近接状に配置され、かつ、演出上の関連性も密接で、しかも、これらの基板に含まれるＬＥＤドライバ（ＬＤｒ０１〜１０）の数も１０個と適正範囲内であるため、配置及び演出上の関連性並びにＬＥＤドライバの数を考慮して中分類した中グループの一つのである第１ＬＥＤ基板群Ａを構成している。
【００８８】
センター飾りＬＥＤ基板５（Ｂ０１）、センター飾りＬＥＤ基板６（Ｂ０２）、センター飾りＬＥＤ基板７（Ｂ０３）は、センター飾りユニット７の上装飾部７１及び左装飾部７２の背後に互いに近接状に配置され、かつ、演出上の関連性も密接で、しかも、これらの基板に含まれるＬＥＤドライバ（ＬＤｒ１１〜１９）の数も９個と適正範囲内であるため、中グループの一つのである第２ＬＥＤ基板群Ｂを構成している。
【００８９】
センター飾りＬＥＤ基板８（Ｃ０１）、センター飾りＬＥＤ基板９（Ｃ０２）は、センター飾りユニット７の右装飾部７３の背後に互いに近接状に配置され、かつ、演出上の関連性も密接で、しかも、これらの基板に含まれるＬＥＤドライバ（ＬＤｒ２０〜２８）の数も９個と適正範囲内であるため、中グループの一つのである第３ＬＥＤ基板群Ｃを構成している。
【００９０】
センター飾りＬＥＤ基板１０（Ｄ０１）、センター飾りＬＥＤ基板１１（Ｄ０２）、センター飾りＬＥＤ基板１２（Ｄ０３）、左サイド飾りＬＥＤ基板（Ｄ０４）、大入賞口飾りＬＥＤ基板（Ｄ０５）、始動口飾りＬＥＤ基板（Ｄ０６）、右サイド飾りＬＥＤ基板（Ｄ０７）は、センター飾りユニット７の下装飾部７４の背後に互いに近接状あるいは下装飾部７４と比較的近い位置に配置され、かつ、演出上の関連性も密接あるいは無関係ではなく、しかも、これらの基板に含まれるＬＥＤドライバ（ＬＤｒ２９〜３８）の数も１０個と適正範囲内であるため、中グループの一つのである第４ＬＥＤ基板群Ｄを構成している。
【００９１】
前扉右上飾りＬＥＤ基板（Ｅ０１）、前扉右下飾りＬＥＤ基板（Ｅ０２）、前扉左下飾りＬＥＤ基板（Ｅ０３）、前扉左上飾りＬＥＤ基板（Ｅ０４）は、フロント扉１４の装飾ランプカバー６１，６２，６３，６４，６５の背後に配置され、かつ、演出上の関連性も密接で、しかも、これらの基板に含まれるＬＥＤドライバ（ＬＤｒ３９〜４４）の数も６個と適正範囲内であるため、中グループの一つのである第５ＬＥＤ基板群Ｅを構成している。
【００９２】
受皿左飾りＬＥＤ基板（Ｆ０１）、受皿中飾りＬＥＤ基板（Ｆ０２）、受皿右飾りＬＥＤ基板（Ｆ０３）、受皿下飾りＬＥＤ基板（Ｆ０４）は、上受皿３１の内部に配置され、かつ、演出上の関連性も密接で、しかも、これらの基板に含まれるＬＥＤドライバ（ＬＤｒ４５〜４８）の数も４個と適正範囲内であるため、中グループの一つのである第６ＬＥＤ基板群Ｆを構成している。
【００９３】
以上、６つに中分類した基板群Ａ〜Ｆのうち、基板群Ａ，Ｂ，Ｃ，Ｄは、遊技盤２の電飾に当てられ、基板群Ｅ，Ｆは、遊技盤２以外の電飾に当てられる。遊技盤２の盤面替え等に柔軟に対応させるため、遊技盤２の電飾に当てる基板群Ａ，Ｂ，Ｃ，Ｄに着目し、これらに含まれるＬＥＤドライバの数がほぼ半分ずつになるように２つに大別し、例えば、第１ＬＥＤ基板群Ａ及び第３ＬＥＤ基板群Ｃの合計１９個のＬＥＤドライバを含む第１大グループと、第２ＬＥＤ基板群Ｂ及び第４ＬＥＤ基板群Ｄの合計１９個のＬＥＤドライバを含む第２大グループとに大分類している。そして、各大グループに、遊技盤２以外の電飾に当てる基板群Ｅ，Ｆを二分して各一つを含ませている。
【００９４】
したがって、第１大グループは、第１ＬＥＤ基板群Ａ、第３ＬＥＤ基板群Ｃ、第５ＬＥＤ基板群Ｅから成り、第１大グループ以外の第２大グループは、第２ＬＥＤ基板群Ｂ、第４ＬＥＤ基板群Ｄ、第６ＬＥＤ基板群Ｆから成る。第１大グループには、Ｉ２Ｃバスの後記バスバッファＢＵＳＢの２系統のシリアルデータラインＳＤＡ１，ＳＤＡ２のうち、ＳＤＡ１を接続している。また、第２大グループには、ＳＤＡ２を接続している。
【００９５】
図５に示すように、ＬＥＤドライバＬＤＲ０１〜４８には、１ＭＨｚファーストモードプラスコンパチブルのＩ２Ｃバスインタフェースをもつテキサス社（ＴＥＸＡＳ  ＩＮＳＴＲＵＭＥＮＴＳ）製の型番ＴＬＣ８２０８ＦＩのＩ２Ｃバス制御８ビットＬＥＤドライバを用いている。
【００９６】
このＬＥＤドライバの内部において、Ｉ２ＣバスのシリアルクロックラインＳＣＬとシリアルデータラインＳＤＡとは、ノイズフィルタ（ＩＮＰＵＴ  ＦＩＬＴＥＲ）を介してＩ２Ｃバスコントローラ（Ｉ２Ｃ−ＢＵＳ  ＣＯＮＴＲＯＬ）に接続される。Ｉ２Ｃバスコントローラ（Ｉ２Ｃ−ＢＵＳ  ＣＯＮＴＲＯＬ）に入力させる３つのハードウェアアドレス端子（Ａ０，Ａ１，Ａ２）により、６４のプログラム可能なスレーブアドレスを実現可能にしている。
【００９７】
２５ＭＨｚの内部発振器（２５ＭＨｚ  ＯＳＣＩＬＬＡＴＯＲ）より生成する９７ｋＨｚで動作する８ビット分解能の固定周波数ＰＷＭコントローラ（ＰＷＭ  ＲＥＧＩＳＴＥＲ  Ｘ  ＢＲＩＧＨＴＮＥＳＳ  ＣＯＮＴＲＯＬ）、並びに、２４．３ｋＨｚより調製する１９０Ｈｚの固定周波数と、２４Ｈｚ〜１０．７３秒に１回の範囲で調整可能なグループ周波数（ＧＲＰＦＲＥＱ  ＲＥＧＩＳＴＥＲ）とをもつ８ビット分解能のグループＰＷＭコントローラ（ＧＲＰＰＷＭ  ＲＥＧＩＳＴＥＲ）、ＬＥＤステートセレクトレジスタ（ＬＥＤ  ＳＴＡＴＥ  ＳＥＬＥＣＴ  ＲＥＧＩＳＴＥＲ）を有する。
【００９８】
出力側には、出力ドライバ（ＯＵＴＰＵＴ  ＤＲＩＶＥＲ）を介して８個のオープンドレインＬＥＤ出力（ＯＵＴ０バー〜ＯＵＴ７バー）を有し、該各ＬＥＤ出力は、オン／オフ（ｐｅｒｍａｎｅｎｔｌｙ  ＯＮ／ｐｅｒｍａｎｅｎｔｌｙ  ＯＦＦ）させることができると共に、ＰＷＭ制御により、ＬＥＤ出力毎に輝度を完全オフから最大輝度まで調光可能にしていると共に、グループ輝度制御により完全オフから最大輝度までの全体調光やグループ点滅を可能にしている。
【００９９】
なお、アクティブローリセット入力（ＲＥＳＥＴバー）から入力するローレベル信号によりパワーオンリセットコントローラ（ＰＯＷＥＲ  ＯＮ  ＲＥＳＥＴ  ＣＮＴＬ）を介して外部リセットを可能にしていると共に、Ｉ２Ｃバスからのソフトウェアリセットも可能にしている。ＶＣＣは直流＋５Ｖの電源、ＧＮＤは０Ｖのグランドである。
【０１００】
図６に示すように、遊技機の内部に設ける制御装置ＣＮは、互いに独立した基板で構成する主制御部ＭＣ、第１周辺制御部ＳＣ１、第２周辺制御部ＳＣ２及び第３周辺制御部ＳＣ３から成る。発射玉関連、賞玉の払出し関連、玉貸ユニットやホールコンピュータ等との接続関連、電源関連、セキュリティ関連の各構成は、省略して描いている。
【０１０１】
主制御部ＭＣには、ＲＯＭ／ＲＡＭ一体型の遊技制御用マイクロコンピュータＣＰＵ０を実装しており、その入力側には、上始動口８１への入賞玉を検出する上始動口スイッチＳＷ１、下始動口８２への入賞玉を検出する下始動口スイッチＳＷ２、大入賞口９への入賞玉を検出する大入賞口スイッチＳＷ３、ゲートＧＴへの通過玉を検出するゲートスイッチＳＷ４、左上入賞口２４への入賞玉を検出する左上入賞口スイッチＳＷ５、左中入賞口２５への入賞玉を検出する左中入賞口スイッチＳＷ６、左下入賞口２６への入賞玉を検出する左下入賞口スイッチＳＷ７、右入賞口２７への入賞玉を検出する右入賞口スイッチＳＷ８を入力させている。
【０１０２】
主制御部ＭＣの遊技制御用マイクロコンピュータＣＰＵ０は、ドライバ回路Ｄｒ１を介して特別図柄表示装置ＳＤを、ドライバ回路Ｄｒ２を介して普通図柄表示装置ＮＤを、ドライバ回路Ｄｒ３を介して特別図柄保留玉表示器Ｍを、ドライバ回路Ｄｒ４を介して普通図柄保留玉表示器Ｊを、ドライバ回路Ｄｒ５を介して遊技状態表示器Ｋを、ドライバ回路Ｄｒ７を介して下始動口８２の花弁８ａ，８ｂを開閉させる電チューソレノイドＳ１を、ドライバ回路Ｄｒ８を介して大入賞口９の可動部材９０を開閉させる大入賞口ソレノイドＳ２を各制御している。
【０１０３】
主制御部ＭＣから各周辺制御部ＳＣ１，ＳＣ２，ＳＣ３へは、中継基板ＣＴを介して一方通行的に、主制御部ＭＣでの入力及び又は該主制御部ＭＣで実行する抽選結果に従ったコマンドを、例えば８ビット８本のデータ信号線と１本のストローブ信号線をもつパラレル通信方式により送信している。周辺制御部ＳＣ１，ＳＣ２，ＳＣ３相互間は、双方向性のパラレル通信方式等により、双方向的にデータを送受信している。
【０１０４】
第１周辺制御部ＳＣ１には、ＲＯＭ／ＲＡＭ一体型の第１演出用マイクロコンピュータＣＰＵ１を実装している。このマイクロコンピュータＣＰＵ１からは、ドライバ回路Ｄｒ９を介して演出表示装置７０を制御しており、主制御部ＭＣから受信するコマンドに応じた左、中、右の各演出図柄の変動及び停止並びに背景の動画展開を含む表示関連の演出を実行している。
【０１０５】
第２周辺制御部ＳＣ２には、ＲＯＭ／ＲＡＭ一体型の第２演出用マイクロコンピュータＣＰＵ２を実装している。このマイクロコンピュータＣＰＵ２は、Ｉ２ＣバスのマスターとなるマイクロコントローラＭＳＴとして機能する。その入出力ポートには、Ｉ２ＣバスのシリアルクロックラインＳＣＬとシリアルデータラインＳＤＡを定義しており、これら２ラインによるシリアル通信方式により、各ＬＥＤ基板Ａ０１，Ａ０２，Ａ０３，Ａ０４，Ｂ０１，Ｂ０２，Ｂ０３，Ｃ０１，Ｃ０２，Ｄ０１，Ｄ０２，Ｄ０３，Ｄ０４，Ｄ０５，Ｄ０６，Ｄ０７，Ｅ０１，Ｅ０２，Ｅ０３，Ｅ０４，Ｆ０１，Ｆ０２，Ｆ０３，Ｆ０４に各々実装したＬＥＤを制御している。
【０１０６】
第３周辺制御部ＳＣ３には、ＲＯＭ／ＲＡＭ一体型の第３演出用マイクロコンピュータＣＰＵ３を実装している。このマイクロコンピュータＣＰＵ３からは、ドライバ回路Ｄｒ１０を介して、スピーカ５１，５２から出音する効果音及びＢＧＭを制御している。
【０１０７】
主制御部ＭＣから送信するコマンドに応じて、第１周辺制御部ＳＣ１による演出表示装置７０の表示演出を実行すると共に、この表示演出とリンクさせて、第２周辺制御部ＳＣ２による電飾演出、第３周辺制御部ＳＣ３による効果音演出を各実行する。主制御部ＭＣでは、サブ側となる周辺制御部ＳＣ１，ＳＣ２，ＳＣ３側に送信するコマンドで特定される演出時間の経過をタイマ管理し、主制御部ＭＣ側の制御とサブ側の制御とが整合するようにしている。
【実施例１】
【０１０８】
図７に示すように、第１ＬＥＤ基板群Ａにおいて、センター飾りＬＥＤ基板１（Ａ０１）には、この基板に実装するＬＥＤを駆動するＬＥＤドライバＬＤｒ０１〜０４を実装している。センター飾りＬＥＤ基板２（Ａ０２）には、この基板に実装するＬＥＤ並びにセンター飾りＬＥＤ基板３（Ａ０３）に実装するＬＥＤ−７１２を駆動するＬＥＤドライバＬＤｒ０５〜０７を実装している。センター飾りＬＥＤ基板４（Ａ０４）には、この基板に実装するＬＥＤを駆動するＬＥＤドライバＬＤｒ０８〜１０を実装している。
【０１０９】
第２ＬＥＤ基板群Ｂにおいて、センター飾りＬＥＤ基板５（Ｂ０１）には、この基板に実装するＬＥＤを駆動するＬＥＤドライバＬＤｒ１１〜１６を実装している。センター飾りＬＥＤ基板６（Ｂ０２）には、この基板に実装するＬＥＤを駆動するＬＥＤドライバＬＤｒ１７，１８を実装している。センター飾りＬＥＤ基板７（Ｂ０３）には、この基板に実装するＬＥＤを駆動するＬＥＤドライバＬＤｒ１９を実装している。
【０１１０】
第３ＬＥＤ基板群Ｃにおいて、センター飾りＬＥＤ基板８（Ｃ０１）には、この基板に実装するＬＥＤを駆動するＬＥＤドライバＬＤｒ２０，２１を実装している。センター飾りＬＥＤ基板９（Ｃ０２）には、この基板に実装するＬＥＤを駆動するＬＥＤドライバＬＤｒ２２〜２８を実装している。
【０１１１】
第４ＬＥＤ基板群Ｄにおいて、センター飾りＬＥＤ基板１０（Ｄ０１）には、この基板に実装するＬＥＤを駆動するＬＥＤドライバＬＤｒ２９〜３１を実装している。センター飾りＬＥＤ基板１１（Ｄ０２）には、この基板に実装するＬＥＤを駆動するＬＥＤドライバＬＤｒ３２を実装している。センター飾りＬＥＤ基板１２（Ｄ０３）には、この基板に実装するＬＥＤを駆動する実装するＬＥＤを駆動するＬＥＤドライバＬＤｒ３３を実装している。
【０１１２】
左サイド飾りＬＥＤ基板（Ｄ０４）には、この基板に実装するＬＥＤを駆動するＬＥＤドライバＬＤｒ３４，３５を実装している。大入賞口飾りＬＥＤ基板（Ｄ０５）には、この基板に実装するＬＥＤを駆動するＬＥＤドライバＬＤｒ３６を実装している。始動口飾りＬＥＤ基板（Ｄ０６）には、この基板に実装するＬＥＤを駆動するＬＥＤドライバＬＤｒ３７を実装している。右サイド飾りＬＥＤ基板（Ｄ０７）には、この基板に実装するＬＥＤを駆動するＬＥＤドライバＬＤｒ３８を実装している。
【０１１３】
第５ＬＥＤ基板群Ｅにおいて、前扉右上飾りＬＥＤ基板（Ｅ０１）には、この基板に実装するＬＥＤを駆動するＬＥＤドライバＬＤｒ３９〜４１を実装している。前扉右下飾りＬＥＤ基板（Ｅ０２）には、この基板に実装するＬＥＤを駆動するＬＥＤドライバＬＤｒ４２を実装している。前扉左下飾りＬＥＤ基板（Ｅ０３）には、この基板に実装するＬＥＤを駆動するＬＥＤドライバＬＤｒ４３を実装している。前扉左上飾りＬＥＤ基板（Ｅ０４）には、この基板に実装するＬＥＤを駆動するＬＥＤドライバＬＤｒ４４を実装している。
【０１１４】
第６ＬＥＤ基板群Ｆにおいて、受皿左飾りＬＥＤ基板（Ｆ０１）には、この基板に実装するＬＥＤを駆動するＬＥＤドライバＬＤｒ４５を実装している。受皿中飾りＬＥＤ基板（Ｆ０２）には、この基板に実装するＬＥＤを駆動するＬＥＤドライバＬＤｒ４６を実装している。受皿右飾りＬＥＤ基板（Ｆ０３）には、この基板に実装するＬＥＤを駆動するＬＥＤドライバＬＤｒ４７を実装している。受皿下飾りＬＥＤ基板（Ｆ０４）には、この基板に実装するＬＥＤを駆動するＬＥＤドライバＬＤｒ４８を実装している。
【０１１５】
Ｉ２ＣバスのマスターとなるマイクロコントローラＭＳＴ（第２演出用マイクロコンピュータＣＰＵ２）の入出力ポートに定義したシリアルデータラインＳＤＡと、Ｉ２ＣバスのスレーブとなるＬＥＤドライバＬＤｒ０１〜ＬＤｒ４８のシリアルデータラインＳＤＡとの間を結ぶ線路中に、双方向に信号を入出力させる入出力端子と該入出力端子から入力する信号を出力させる出力端子及び前記入出力端子から出力する信号を入力させる入力端子をもつ双方向性のバスバッファＢＵＳＢを接続している。
【０１１６】
これと共に、Ｉ２ＣバスのマスターとなるマイクロコントローラＭＳＴ（第２演出用マイクロコンピュータＣＰＵ２）の入出力ポートに定義したシリアルクロックラインＳＣＬと、Ｉ２ＣバスのスレーブとなるＬＥＤドライバＬＤｒ０１〜ＬＤｒ４８のシリアルクロックラインＳＣＬとの間を結ぶ線路中に、マイクロコントローラＭＳＴからのシリアルクロックライン信号をバスバッファＢＵＳＢを介さずに別経路でスレーブ側のＬＥＤドライバＬＤｒ０１〜ＬＤｒ４８に送信する送信素子ＢＤ００と、この送信素子ＢＤ００からの送信信号を受信する受信素子ＢＤ０１，ＢＤ０２，ＢＤ０３，ＢＤ０４，ＢＤ０５，ＢＤ０６とを接続している。
【０１１７】
第１ＬＥＤ基板群Ａに対応して設ける受信素子ＢＤ０１は、第１ＬＥＤ基板群Ａに対してシリアルクロックラインＳＣＬ及びシリアルデータラインＳＤＡの各信号を中継する第１中継基板Ａ００に実装しており、シリアルクロックラインＳＣＬ及びシリアルデータラインＳＤＡは、第１中継基板Ａ００からセンター飾りＬＥＤ基板１（Ａ０１）に、センター飾りＬＥＤ基板１（Ａ０１）からセンター飾りＬＥＤ基板２（Ａ０２）に、センター飾りＬＥＤ基板１（Ａ０１）からセンター飾りＬＥＤ基板４（Ａ０４）に各接続される。
【０１１８】
第２ＬＥＤ基板群Ｂに対応して設ける受信素子ＢＤ０２は、第２ＬＥＤ基板群Ｂに対してシリアルクロックラインＳＣＬ及びシリアルデータラインＳＤＡの各信号を中継する第２中継基板Ｂ００に実装しており、シリアルクロックラインＳＣＬ及びシリアルデータラインＳＤＡは、第２中継基板Ｂ００からセンター飾りＬＥＤ基板５（Ｂ０１）に、センター飾りＬＥＤ基板５（Ｂ０１）からセンター飾りＬＥＤ基板６（Ｂ０２）に、センター飾りＬＥＤ基板６（Ｂ０２）からセンター飾りＬＥＤ基板７（Ｂ０３）に各接続される。
【０１１９】
第３ＬＥＤ基板群Ｃに対応して設ける受信素子ＢＤ０３は、第３ＬＥＤ基板群Ｃに対してシリアルクロックラインＳＣＬ及びシリアルデータラインＳＤＡの各信号を中継する第３中継基板Ｃ００に実装しており、シリアルクロックラインＳＣＬ及びシリアルデータラインＳＤＡは、第３中継基板Ｃ００からセンター飾りＬＥＤ基板８（Ｃ０１）に、センター飾りＬＥＤ基板８（Ｃ０１）からセンター飾りＬＥＤ基板９（Ｃ０２）に各接続される。
【０１２０】
第４ＬＥＤ基板群Ｄに対応して設ける受信素子ＢＤ０４は、第４ＬＥＤ基板群Ｄに対してシリアルクロックラインＳＣＬ及びシリアルデータラインＳＤＡの各信号を中継する第４中継基板Ｄ００に実装しており、シリアルクロックラインＳＣＬ及びシリアルデータラインＳＤＡは、第４中継基板Ｄ００からセンター飾りＬＥＤ基板１０（Ｄ０１）に、センター飾りＬＥＤ基板１０（Ｄ０１）からセンター飾りＬＥＤ基板１１（Ｄ０２）に、センター飾りＬＥＤ基板１０（Ｄ０１）からセンター飾りＬＥＤ基板１２（Ｄ０３）に、センター飾りＬＥＤ基板１０（Ｄ０１）から左サイド飾りＬＥＤ基板（Ｄ０４）に、センター飾りＬＥＤ基板１０（Ｄ０１）から大入賞口飾りＬＥＤ基板（Ｄ０５）に、大入賞口飾りＬＥＤ基板（Ｄ０５）から始動口飾りＬＥＤ基板（Ｄ０６）に、始動口飾りＬＥＤ基板（Ｄ０６）から右サイド飾りＬＥＤ基板（Ｄ０７）に各接続される。
【０１２１】
第５ＬＥＤ基板群Ｅに対応して設ける受信素子ＢＤ０５は、第５ＬＥＤ基板群Ｅに対してシリアルクロックラインＳＣＬ及びシリアルデータラインＳＤＡの各信号を中継する第５中継基板Ｅ００に実装しており、シリアルクロックラインＳＣＬ及びシリアルデータラインＳＤＡは、第５中継基板Ｅ００から前扉右上飾りＬＥＤ基板（Ｅ０１）に、第５中継基板Ｅ００から前扉右下飾りＬＥＤ基板（Ｅ０２）に、第５中継基板Ｅ００から前扉左下飾りＬＥＤ基板（Ｅ０３）に、第５中継基板Ｅ００から前扉左上飾りＬＥＤ基板（Ｅ０４）に各接続される。
【０１２２】
第６ＬＥＤ基板群Ｆに対応して設ける受信素子ＢＤ０６は、第６ＬＥＤ基板群Ｆに対してシリアルクロックラインＳＣＬ及びシリアルデータラインＳＤＡの各信号を中継する第６中継基板Ｆ００に実装しており、シリアルクロックラインＳＣＬ及びシリアルデータラインＳＤＡは、第６中継基板Ｆ００から受皿左飾りＬＥＤ基板（Ｆ０１）に、第６中継基板Ｆ００から受皿中飾りＬＥＤ基板（Ｆ０２）に、第６中継基板Ｆ００から受皿右飾りＬＥＤ基板（Ｆ０３）に、第６中継基板Ｆ００から受皿下飾りＬＥＤ基板（Ｆ０４）に各接続される。
【０１２３】
図８に示すように、前記バスバッファＢＵＳＢには、型番ＴＬ９６００ＰＷのＩＣを用いており、このバスバッファＢＵＳＢは、第１信号を双方向に入出力させる第１入出力端子ＳＸと第１信号を出力させる第１出力端子ＴＸ及び第１信号を入力させる第１入力端子ＲＸ、並びに、第２信号を双方向に入出力させる第２入出力端子ＳＹと第２信号を出力させる第２出力端子ＴＹ及び第２信号を入力させる第２入力端子ＲＹを具備している。
【０１２４】
本来、第１入出力端子ＳＸは、Ｉ２ＣバスのシリアルデータラインＳＤＡの双方向端子として、第１出力端子ＴＸは、シリアルデータラインＳＤＡの出力端子として、第１入力端子ＲＸは、シリアルデータラインＳＤＡの入力端子としてそれぞれ予定され、第２入出力端子ＳＹは、Ｉ２ＣバスのシリアルクロックラインＳＣＬの双方向端子として、第２出力端子ＴＹは、シリアルクロックラインＳＣＬの出力端子として、第２入力端子ＲＹは、シリアルクロックラインＳＣＬの入力端子としてそれぞれ予定されている。
【０１２５】
このバスバッファＢＵＳＢは、型番Ｐ８２Ｂ９６のＩＣでもよく、ＴＬ９６００シリーズのものと同様の機能をもつＩＣに置換してもよい。
【０１２６】
図９に示すように、前記送信素子ＢＤ００及び受信素子ＢＤ０１，ＢＤ０２，ＢＤ０３，ＢＤ０４，ＢＤ０５，ＢＤ０６には、型番ＳＮ７４ＡＨＣＴ５４１ＰＷＲの汎用ロジックＩＣを用いており、この汎用ロジックＩＣは、Ｈ（ハイ又は論理１）、Ｌ（ロー又は論理０）、Ｚ（ハイインピーダンス状態）の３ステート（３状態）の出力仕様をもつ８ビットのバッファ／ドライバである。
【０１２７】
本来、出力イネーブルＯＥ１バー及びＯＥ２バーが共にＬ（ロー又は論理０）のとき、各入力Ａ１〜Ａ８がＬ（ロー又は論理０）なら対応する各出力Ｙ１〜Ｙ８もＬ（ロー又は論理０）、各入力Ａ１〜Ａ８がＨ（ハイ又は論理１）なら対応する各出力Ｙ１〜Ｙ８もＨ（ハイ又は論理１）となり、出力イネーブルＯＥ１バー又はＯＥ２バーの少なくとも一つがＨ（ハイ又は論理１）のとき、各入力Ａ１〜Ａ８の如何にかかわらず、各出力Ｙ１〜Ｙ８はＺ（ハイインピーダンス状態）となる仕様をもつ。
【０１２８】
図１０に示すように、Ｉ２ＣバスのマスターとなるマイクロコントローラＭＳＴとなる第２演出用マイクロコンピュータＣＰＵ２を実装する基板に、前記バスバッファＢＵＳＢを実装し、その第１入出力端子ＳＸ及び第２入出力端子ＳＹを互いに結合して、マイクロコントローラＭＳＴの入出力ポートに定義したシリアルデータラインＳＤＡに、基板上に設けるプリント配線パターンにより接続している。
【０１２９】
また、前記バスバッファＢＵＳＢの第１出力端子ＴＸ及び第１入力端子ＲＸをプリント配線パターンにより互いに結合して、第１大グループに属する第１ＬＥＤ基板群Ａ、第３ＬＥＤ基板群Ｃ、第５ＬＥＤ基板群Ｄに含まれる各ＬＥＤドライバのシリアルデータラインと接続するための第１種別のシリアルデータラインＳＤＡ（ＳＤＡ１）の端子を取り出している。
【０１３０】
さらに、前記バスバッファＢＵＳＢの第２出力端子ＴＹ及び第２入力端子ＲＹをプリント配線パターンにより互いに結合して、第２大グループに属する第２ＬＥＤ基板群Ｂ、第４ＬＥＤ基板群Ｄ、第６ＬＥＤ基板群Ｆに含まれる各ＬＥＤドライバのシリアルデータラインと接続するための第２種別のシリアルデータラインＳＤＡ（ＳＤＡ２）の端子を取り出している。
【０１３１】
一方、マイクロコントローラＭＳＴの入出力ポートに定義したシリアルクロックラインＳＣＬにから出力するクロック信号は、前記バスバッファＢＵＳＢを介さずに別経路でスレーブとなるＬＥＤドライバ側に送信するようにしており、その送信素子ＢＤ００は、第２演出用マイクロコンピュータＣＰＵ２を実装する基板に、前記バスバッファＢＵＳＢとは別個独立に実装している。
【０１３２】
そして、送信素子ＢＤ００の一つの入力Ａ８を、マイクロコントローラＭＳＴの入出力ポートにおけるシリアルクロックラインＳＣＬに、基板上に設けるプリント配線パターンにより接続し、この入力Ａ８に対応する出力Ｙ８を、各ＬＥＤ基板群Ａ〜Ｆに対応して設ける各受信素子ＢＤ０１〜ＢＤ０６と接続する端子として取り出している。
【０１３３】
なお、送信素子ＢＤ００の他の入力Ａ１〜Ａ７及び各出力イネーブルＯＥ１バー，ＯＥ２バーはＧＮＤに接地し、Ｌ（ロー又は論理０）に固定している。この送信素子ＢＤ００は、専ら、シリアルクロックラインＳＣＬのクロック信号のみをスレーブ側に送信する一方向性のバッファ／ドライバとして機能する。
【０１３４】
図１０中、Ｒ１は、送信素子ＢＤ００の入力側すなわちマイクロコントローラＭＳＴ側のシリアルクロックラインＳＣＬを＋３．３ＶのマイクロコントローラＭＳＴ側の電源ラインにプルアップする抵抗、Ｒ２は、送信素子ＢＤ００の出力側のシリアルクロックラインＳＣＬを＋５Ｖの電源ラインＶＣＣにプルアップする抵抗である。
【０１３５】
また、Ｒ３は、バスバッファＢＵＳＢの入出力端子側すなわちマイクロコントローラＭＳＴ側のシリアルデータラインＳＤＡを＋３．３ＶのマイクロコントローラＭＳＴ側の電源ラインにプルアップする抵抗、Ｒ４，Ｒ５は、バスバッファＢＵＳＢの出力端子及び入力端子側の各シリアルデータラインＳＤＡ１，ＳＤＡ２を＋５Ｖの電源ラインＶＣＣにプルアップする抵抗である。Ｃ１，Ｃ２は、＋５Ｖの電源ラインＶＣＣとＧＮＤとの間のノイズキラーコンデンサである。
【０１３６】
図１１に示すように、第１ＬＥＤ基板群Ａに対応して設けるシリアルクロックラインＳＣＬの受信素子ＢＤ０１は、その入力Ａ８に、送信素子ＢＤ００からのシリアルクロックラインＳＣＬを信号ケーブルを介して接続し、その出力Ｙ８を、第１ＬＥＤ基板群Ａに含まれる各ＬＥＤドライバＬＤｒ０１〜ＬＤｒ１０のシリアルクロックラインＳＣＬに接続している。受信素子ＢＤ０１の他の入力Ａ１〜Ａ７及び各出力イネーブルＯＥ１バー，ＯＥ２バーはＧＮＤに接地し、Ｌ（ロー又は論理０）に固定している。この受信素子ＢＤ０１は、専ら、シリアルクロックラインＳＣＬのクロック信号をマスター側から受信して第１ＬＥＤ基板群Ａに属する各ＬＥＤドライバＬＤｒ０１〜ＬＤｒ１０に送信する一方向性のバッファ／ドライバとして機能する。
【０１３７】
第１ＬＥＤ基板群Ａに対応するシリアルデータラインＳＤＡ（ＳＤＡ１）は、双方向性のバスバッファＢＵＳＢの第１出力端子ＴＸ及び第１入力端子ＲＸの結合ラインと信号ケーブルを介して結ばれる。第１ＬＥＤ基板群Ａに含まれる各ＬＥＤドライバＬＤｒ０１〜ＬＤｒ１０のシリアルデータラインＳＤＡは、マスターとなるマイクロコントローラＭＳＴの基板に実装したバスバッファＢＵＳＢと信号ケーブルにより直接的に接続されることになる。
【０１３８】
なお、必要に応じて、第１ＬＥＤ基板群Ａの中継基板Ａ００等に、前記バスバッファＢＵＳＢと同様な双方向性のスレーブ側バスバッファを実装し、このスレーブ側バスバッファの第１出力端子ＴＸ及び第１入力端子ＲＸの結合ラインをマスター側のバスバッファＢＵＳＢの第１出力端子ＴＸ及び第１入力端子ＲＸの結合ラインと信号ケーブルを介して接続し、スレーブ側バスバッファの第１入出端子ＳＸを第１ＬＥＤ基板群Ａに属する各ＬＥＤドライバＬＤｒ０１〜ＬＤｒ１０のシリアルデータラインＳＤＡと接続してもよい。
【０１３９】
Ｒ１１は、スレーブとなるＬＥＤドライバＬＤｒ０１〜ＬＤｒ１０のシリアルデータラインＳＤＡ（ＳＤＡ１）を＋５Ｖの電源ラインＶＣＣにプルアップする抵抗、Ｒ１２は、スレーブとなるＬＥＤドライバＬＤｒ０１〜ＬＤｒ１０のシリアルクロックラインＳＣＬを＋５Ｖの電源ラインＶＣＣにプルアップする抵抗である。
【０１４０】
各ＬＥＤドライバＬＤｒ０１・・・のアクティブローリセット入力（ＲＥＳＥＴバー）に対する回路図は省略している。また、ハードウェアアドレス端子Ａ０，Ａ１，Ａ２は、結線図としては省略しているが、後述するように、０ＶのＧＮＤ、＋５ＶのＶＣＣ、シリアルクロックラインＳＣＬ、シリアルデータラインＳＤＡの何れかに各々接続し、ＬＥＤドライバ毎に異なるスレーブアドレスを割り付けている。各オープンドレインＬＥＤ出力（ＯＵＴ０バー〜ＯＵＴ７バー）には、各直列抵抗Ｒ００１・・・を介して各ＬＥＤを接続している。ＬＥＤのアノード側は＋５ＶのＶＣＣに接続している。オープンドレインＬＥＤ出力ライン毎に、ライン番号００１・・・を併記している。これらのことは、全てのＬＥＤドライバについての共通事項である。
【０１４１】
第１ＬＥＤドライバＬＤｒ０１は、８個の赤色ＬＥＤ（ＬＥＤ−Ｒ０１〜ＬＥＤ−Ｒ０８）を制御している。第２ＬＥＤドライバＬＤｒ０２は、８個の青色ＬＥＤ（ＬＥＤ−Ｂ０１〜ＬＥＤ−Ｂ０８）を制御している。第３ＬＥＤドライバＬＤｒ０３は、４個の青色（ＬＥＤ−Ｂ０９〜ＬＥＤ−Ｂ１２）と、１個の多色ＬＥＤ（ＬＥＤ−７０１）と、ドライバ間をクロスオーバーする１個の多色ＬＥＤ（ＬＥＤ−７０２）の赤色発光端子（カソード側赤端子Ｒ、以下、単にＲと記す）を制御している。第４ＬＥＤドライバＬＤｒ０４は、ドライバ間をクロスオーバーする多色ＬＥＤ（ＬＥＤ−７０２）の緑色発光端子（カソード側緑端子Ｇ、以下、単にＧと記す）及び青色発光端子（カソード側青端子Ｂ、以下、単にＢと記す）と、２個の多色ＬＥＤ（ＬＥＤ−７０３，ＬＥＤ−７０４）を制御している。なお、多色ＬＥＤは、アノード側を共通にしたアノードコモンのものを用いてもよい（以下、同様）。
【０１４２】
図１２に示すように、第５ＬＥＤドライバＬＤｒ０５は、２個の多色ＬＥＤ（ＬＥＤ−７０５，ＬＥＤ−７０６）と、ドライバ間をクロスオーバーする１個の多色ＬＥＤ（ＬＥＤ−７０７）の赤色発光端子（Ｒ）及び緑色発光端子（Ｇ）を制御している。第６ＬＥＤドライバＬＤｒ０６は、ドライバ間をクロスオーバーする多色ＬＥＤ（ＬＥＤ−７０７）の青色発光端子（Ｂ）と、２個の多色ＬＥＤ（ＬＥＤ−７０８，ＬＥＤ−７０９）と、ドライバ間をクロスオーバーする他の１個の多色ＬＥＤ（ＬＥＤ−７１０）の赤色発光端子（Ｒ）を制御している。第７ＬＥＤドライバＬＤｒ０７は、ドライバ間をクロスオーバーする多色ＬＥＤ（ＬＥＤ−７１０）の緑色発光端子（Ｇ）及び青色発光端子（Ｂ）と、２個の多色ＬＥＤ（ＬＥＤ−７１１，ＬＥＤ−７１２）を制御している。
【０１４３】
第８ＬＥＤドライバＬＤｒ０８は、２個の多色ＬＥＤ（ＬＥＤ−７１３，ＬＥＤ−７１４）と、ドライバ間をクロスオーバーする１個の多色ＬＥＤ（ＬＥＤ−７１５）の赤色発光端子（Ｒ）及び緑色発光端子（Ｇ）を制御している。第９ＬＥＤドライバＬＤｒ０９は、ドライバ間をクロスオーバーする多色ＬＥＤ（ＬＥＤ−７１５）の青色発光端子（Ｂ）と、２個の多色ＬＥＤ（ＬＥＤ−７１６，ＬＥＤ−７１７）と、ドライバ間をクロスオーバーする他の１個の多色ＬＥＤ（ＬＥＤ−７１８）の赤色発光端子（Ｒ）を制御している。第１０ＬＥＤドライバＬＤｒ１０は、ドライバ間をクロスオーバーする多色ＬＥＤ（ＬＥＤ−７１８）の緑色発光端子（Ｇ）及び青色発光端子（Ｂ）と、２個の多色ＬＥＤ（ＬＥＤ−７１９，ＬＥＤ−７２０）を制御している。
【０１４４】
図１３に示すように、第２ＬＥＤ基板群Ｂに対応して設けるシリアルクロックラインＳＣＬの受信素子ＢＤ０２は、その入力Ａ８に、送信素子ＢＤ００からのシリアルクロックラインＳＣＬを信号ケーブルを介して接続し、その出力Ｙ８を、第２ＬＥＤ基板群Ｂに含まれる各ＬＥＤドライバＬＤｒ１１〜ＬＤｒ１９のシリアルクロックラインＳＣＬに接続している。受信素子ＢＤ０２の他の入力Ａ１〜Ａ７及び各出力イネーブルＯＥ１バー，ＯＥ２バーはＧＮＤに接地し、Ｌ（ロー又は論理０）に固定している。この受信素子ＢＤ０２は、専ら、シリアルクロックラインＳＣＬのクロック信号をマスター側から受信して第２ＬＥＤ基板群Ｂに属する各ＬＥＤドライバＬＤｒ１１〜ＬＤｒ１９に送信する一方向性のバッファ／ドライバとして機能する。
【０１４５】
第２ＬＥＤ基板群Ｂに対応するシリアルデータラインＳＤＡ（ＳＤＡ２）は、双方向性のバスバッファＢＵＳＢの第２出力端子ＴＹ及び第２入力端子ＲＹの結合ラインと信号ケーブルを介して結ばれる。第２ＬＥＤ基板群Ｂに含まれる各ＬＥＤドライバＬＤｒ１１〜ＬＤｒ１９のシリアルデータラインＳＤＡは、マスターとなるマイクロコントローラＭＳＴの基板に実装したバスバッファＢＵＳＢと信号ケーブルにより直接的に接続されることになる。
【０１４６】
なお、必要に応じて、第２ＬＥＤ基板群Ｂの中継基板Ｂ００等に、前記バスバッファＢＵＳＢと同様な双方向性のスレーブ側バスバッファを実装し、このスレーブ側バスバッファの第１出力端子ＴＸ及び第１入力端子ＲＸの結合ラインをマスター側のバスバッファＢＵＳＢの第２出力端子ＴＹ及び第２入力端子ＲＹの結合ラインと信号ケーブルを介して接続し、スレーブ側バスバッファの第１入出端子ＳＸを第２ＬＥＤ基板群Ｂに属する各ＬＥＤドライバＬＤｒ１１〜ＬＤｒ１９のシリアルデータラインＳＤＡと接続してもよい。
【０１４７】
Ｒ２１は、スレーブとなるＬＥＤドライバＬＤｒ１１〜ＬＤｒ１９のシリアルデータラインＳＤＡ（ＳＤＡ２）を＋５Ｖの電源ラインＶＣＣにプルアップする抵抗、Ｒ２２は、スレーブとなるＬＥＤドライバＬＤｒ１１〜ＬＤｒ１９のシリアルクロックラインＳＣＬを＋５Ｖの電源ラインＶＣＣにプルアップする抵抗である。
【０１４８】
第１１ＬＥＤドライバＬＤｒ１１は、２個の多色ＬＥＤ（ＬＥＤ−７２１，ＬＥＤ−７２２）と、ドライバ間をクロスオーバーする１個の多色ＬＥＤ（ＬＥＤ−７２３）の赤色発光端子（Ｒ）及び緑色発光端子（Ｇ）を制御している。第１２ＬＥＤドライバＬＤｒ１２は、ドライバ間をクロスオーバーする多色ＬＥＤ（ＬＥＤ−７２３）の青色発光端子（Ｂ）と、２個の多色ＬＥＤ（ＬＥＤ−７２４，ＬＥＤ−７２５）と、ドライバ間をクロスオーバーする他の１個の多色ＬＥＤ（ＬＥＤ−７２６）の赤色発光端子（Ｒ）を制御している。第１３ＬＥＤドライバＬＤｒ１０は、ドライバ間をクロスオーバーする多色ＬＥＤ（ＬＥＤ−７２６）の緑色発光端子（Ｇ）及び青色発光端子（Ｂ）と、２個の多色ＬＥＤ（ＬＥＤ−７２７，ＬＥＤ−７２８）を制御している。
【０１４９】
図１４に示すように、第１４ＬＥＤドライバＬＤｒ１４は、２個の多色ＬＥＤ（ＬＥＤ−７２９，ＬＥＤ−７３０）と、ドライバ間をクロスオーバーする１個の多色ＬＥＤ（ＬＥＤ−７３１）の赤色発光端子（Ｒ）及び緑色発光端子（Ｇ）を制御している。第１５ＬＥＤドライバＬＤｒ１５は、ドライバ間をクロスオーバーする多色ＬＥＤ（ＬＥＤ−７３１）の青色発光端子（Ｂ）と、２個の多色ＬＥＤ（ＬＥＤ−７３２，ＬＥＤ−７３３）と、ドライバ間をクロスオーバーする他の１個の多色ＬＥＤ（ＬＥＤ−７３４）の赤色発光端子（Ｒ）を制御している。第１６ＬＥＤドライバＬＤｒ１０は、ドライバ間をクロスオーバーする多色ＬＥＤ（ＬＥＤ−７３４）の緑色発光端子（Ｇ）及び青色発光端子（Ｂ）と、２個の多色ＬＥＤ（ＬＥＤ−７３５，ＬＥＤ−７３６）を制御している。
【０１５０】
第１７ＬＥＤドライバＬＤｒ１７は、２個の多色ＬＥＤ（ＬＥＤ−７３７，ＬＥＤ−７３８）と、２個の白色ＬＥＤ（ＬＥＤ−Ｗ０１，ＬＥＤ−Ｗ０２）を制御している。第１８ＬＥＤドライバＬＤｒ１８は、５個の白色ＬＥＤ（ＬＥＤ−Ｗ０３〜ＬＥＤ−Ｗ０７）と、３個の青色ＬＥＤ（ＬＥＤ−Ｂ１３〜ＬＥＤ−Ｂ１５）を制御している。第１９ＬＥＤドライバＬＤｒ１９は、５個の白色ＬＥＤ（ＬＥＤ−Ｗ０８〜ＬＥＤ−Ｗ１２）と、３個の緑色ＬＥＤ（ＬＥＤ−Ｇ０１〜ＬＥＤ−Ｇ０３）を制御している。
【０１５１】
図１５に示すように、第３ＬＥＤ基板群Ｃに対応して設けるシリアルクロックラインＳＣＬの受信素子ＢＤ０３は、その入力Ａ８に、送信素子ＢＤ００からのシリアルクロックラインＳＣＬを信号ケーブルを介して接続し、その出力Ｙ８を、第３ＬＥＤ基板群Ｃに含まれる各ＬＥＤドライバＬＤｒ２０〜ＬＤｒ２８のシリアルクロックラインＳＣＬに接続している。受信素子ＢＤ０３の他の入力Ａ１〜Ａ７及び各出力イネーブルＯＥ１バー，ＯＥ２バーはＧＮＤに接地し、Ｌ（ロー又は論理０）に固定している。この受信素子ＢＤ０３は、専ら、シリアルクロックラインＳＣＬのクロック信号をマスター側から受信して第３ＬＥＤ基板群Ｃに属する各ＬＥＤドライバＬＤｒ２０〜ＬＤｒ２８に送信する一方向性のバッファ／ドライバとして機能する。
【０１５２】
第３ＬＥＤ基板群Ｃに対応するシリアルデータラインＳＤＡ（ＳＤＡ１）は、双方向性のバスバッファＢＵＳＢの第１出力端子ＴＸ及び第１入力端子ＲＸの結合ラインと信号ケーブルを介して結ばれる。第３ＬＥＤ基板群Ｃに含まれる各ＬＥＤドライバＬＤｒ２０〜ＬＤｒ２８のシリアルデータラインＳＤＡは、マスターとなるマイクロコントローラＭＳＴの基板に実装したバスバッファＢＵＳＢと信号ケーブルにより直接的に接続されることになる。
【０１５３】
なお、必要に応じて、第３ＬＥＤ基板群Ｃの中継基板Ｃ００等に、前記バスバッファＢＵＳＢと同様な双方向性のスレーブ側バスバッファを実装し、このスレーブ側バスバッファの第１出力端子ＴＸ及び第１入力端子ＲＸの結合ラインをマスター側のバスバッファＢＵＳＢの第１出力端子ＴＸ及び第１入力端子ＲＸの結合ラインと信号ケーブルを介して接続し、スレーブ側バスバッファの第１入出端子ＳＸを第３ＬＥＤ基板群Ｃに属する各ＬＥＤドライバＬＤｒ２０〜ＬＤｒ２８のシリアルデータラインＳＤＡと接続してもよい。
【０１５４】
Ｒ３１は、スレーブとなるＬＥＤドライバＬＤｒ２０〜ＬＤｒ２８のシリアルデータラインＳＤＡ（ＳＤＡ１）を＋５Ｖの電源ラインＶＣＣにプルアップする抵抗、Ｒ３２は、スレーブとなるＬＥＤドライバＬＤｒ２０〜ＬＤｒ２８のシリアルクロックラインＳＣＬを＋５Ｖの電源ラインＶＣＣにプルアップする抵抗である。
【０１５５】
第２０ＬＥＤドライバＬＤｒ２０は、８個の白色ＬＥＤ（ＬＥＤ−Ｗ１３〜ＬＥＤ−Ｗ２０）を制御している。第２１ＬＥＤドライバＬＤｒ２１は、８個の白色ＬＥＤ（ＬＥＤ−Ｗ２１〜ＬＥＤ−Ｗ２８）を制御している。
【０１５６】
図１６に示すように、第２２ＬＥＤドライバＬＤｒ２２は、８個の白色ＬＥＤ（ＬＥＤ−Ｗ２９〜ＬＥＤ−Ｗ３６）を制御している。第２３ＬＥＤドライバＬＤｒ２３は、８個の白色ＬＥＤ（ＬＥＤ−Ｗ３７〜ＬＥＤ−Ｗ４４）を制御している。第２４ＬＥＤドライバＬＤｒ２４は、２個の白色ＬＥＤ（ＬＥＤ−Ｗ４５，ＬＥＤ−Ｗ４６）と、２個の多色ＬＥＤ（ＬＥＤ−７３９，ＬＥＤ−７４０）を制御している。
【０１５７】
第２５ＬＥＤドライバＬＤｒ２５は、２個の多色ＬＥＤ（ＬＥＤ−７４１，ＬＥＤ−７４２）と、ドライバ間をクロスオーバーする１個の多色ＬＥＤ（ＬＥＤ−７４３）の赤色発光端子（Ｒ）及び緑色発光端子（Ｇ）を制御している。第２６ＬＥＤドライバＬＤｒ２６は、ドライバ間をクロスオーバーする多色ＬＥＤ（ＬＥＤ−７４３）の青色発光端子（Ｂ）と、２個の多色ＬＥＤ（ＬＥＤ−７４４，ＬＥＤ−７４５）と、ドライバ間をクロスオーバーする他の１個の多色ＬＥＤ（ＬＥＤ−７４６）の赤色発光端子（Ｒ）を制御している。第２７ＬＥＤドライバＬＤｒ２７は、ドライバ間をクロスオーバーする多色ＬＥＤ（ＬＥＤ−７４６）の緑色発光端子（Ｇ）及び青色発光端子（Ｂ）と、２個の多色ＬＥＤ（ＬＥＤ−７４７，ＬＥＤ−７４８）を制御している。第２８ＬＥＤドライバＬＤｒ２８は、２個の多色ＬＥＤ（ＬＥＤ−７４９，ＬＥＤ−７５０）と、２個の緑色ＬＥＤ（ＬＥＤ−Ｇ０４，ＬＥＤ−Ｇ０５）を制御している。
【０１５８】
図１７に示すように、第４ＬＥＤ基板群Ｄに対応して設けるシリアルクロックラインＳＣＬの受信素子ＢＤ０４は、その入力Ａ８に、送信素子ＢＤ００からのシリアルクロックラインＳＣＬを信号ケーブルを介して接続し、その出力Ｙ８を、第４ＬＥＤ基板群Ｄに含まれる各ＬＥＤドライバＬＤｒ２９〜ＬＤｒ３８のシリアルクロックラインＳＣＬに接続している。受信素子ＢＤ０４の他の入力Ａ１〜Ａ７及び各出力イネーブルＯＥ１バー，ＯＥ２バーはＧＮＤに接地し、Ｌ（ロー又は論理０）に固定している。この受信素子ＢＤ０４は、専ら、シリアルクロックラインＳＣＬのクロック信号をマスター側から受信して第４ＬＥＤ基板群Ｄに属する各ＬＥＤドライバＬＤｒ２９〜ＬＤｒ３８に送信する一方向性のバッファ／ドライバとして機能する。
【０１５９】
第４ＬＥＤ基板群Ｄに対応するシリアルデータラインＳＤＡ（ＳＤＡ２）は、双方向性のバスバッファＢＵＳＢの第２出力端子ＴＹ及び第２入力端子ＲＹの結合ラインと信号ケーブルを介して結ばれる。第４ＬＥＤ基板群Ｄに含まれる各ＬＥＤドライバＬＤｒ２９〜ＬＤｒ３８のシリアルデータラインＳＤＡは、マスターとなるマイクロコントローラＭＳＴの基板に実装したバスバッファＢＵＳＢと信号ケーブルにより直接的に接続されることになる。
【０１６０】
なお、必要に応じて、第４ＬＥＤ基板群Ｄの中継基板Ｄ００等に、前記バスバッファＢＵＳＢと同様な双方向性のスレーブ側バスバッファを実装し、このスレーブ側バスバッファの第１出力端子ＴＸ及び第１入力端子ＲＸの結合ラインをマスター側のバスバッファＢＵＳＢの第２出力端子ＴＹ及び第２入力端子ＲＹの結合ラインと信号ケーブルを介して接続し、スレーブ側バスバッファの第１入出端子ＳＸを第４ＬＥＤ基板群Ｄに属する各ＬＥＤドライバＬＤｒ２９〜ＬＤｒ３８のシリアルデータラインＳＤＡと接続してもよい。
【０１６１】
Ｒ４１は、スレーブとなるＬＥＤドライバＬＤｒ２９〜ＬＤｒ３８のシリアルデータラインＳＤＡ（ＳＤＡ２）を＋５Ｖの電源ラインＶＣＣにプルアップする抵抗、Ｒ４２は、スレーブとなるＬＥＤドライバＬＤｒ２９〜ＬＤｒ３８のシリアルクロックラインＳＣＬを＋５Ｖの電源ラインＶＣＣにプルアップする抵抗である。
【０１６２】
第２９ＬＥＤドライバＬＤｒ２９は、１個の緑色ＬＥＤ（ＬＥＤ−Ｇ０６）と、２個の多色ＬＥＤ（ＬＥＤ−７５１，ＬＥＤ−７５２）と、ドライバ間をクロスオーバーする１個の多色ＬＥＤ（ＬＥＤ−７５３）の赤色発光端子（Ｒ）を制御している。第３０ＬＥＤドライバＬＤｒ３０は、ドライバ間をクロスオーバーする多色ＬＥＤ（ＬＥＤ−７５３）の緑色発光端子（Ｇ）及び青色発光端子（Ｂ）と、２個の多色ＬＥＤ（ＬＥＤ−７５４，ＬＥＤ−７５５）を制御している。第３１ＬＥＤドライバＬＤｒ３１は、２個の多色ＬＥＤ（ＬＥＤ−７５６，ＬＥＤ−７５７）と、２個の緑色ＬＥＤ（ＬＥＤ−Ｇ０７，ＬＥＤ−Ｇ０８）を制御している。
【０１６３】
図１８に示すように、第３２ＬＥＤドライバＬＤｒ３２は、８個の青色ＬＥＤ（ＬＥＤ−Ｂ１６〜ＬＥＤ−Ｂ２３）を制御している。第３３ＬＥＤドライバＬＤｒ３３は、８個の青色ＬＥＤ（ＬＥＤ−Ｂ２４〜ＬＥＤ−Ｂ３１）を制御している。第３４ＬＥＤドライバＬＤｒ３４は、４個の赤色ＬＥＤ（ＬＥＤ−Ｒ０９〜ＬＥＤ−Ｒ１２）と、４個の緑色ＬＥＤ（ＬＥＤ−Ｇ０９〜ＬＥＤ−Ｇ１２）を制御している。第３５ＬＥＤドライバＬＤｒ３５は、４個の青色ＬＥＤ（ＬＥＤ−Ｂ３２〜ＬＥＤ−Ｂ３５）と、４個の白色ＬＥＤ（ＬＥＤ−Ｗ４７〜ＬＥＤ−Ｗ５０）を制御している。
【０１６４】
第３６ＬＥＤドライバＬＤｒ３６は、２個の赤色ＬＥＤ（ＬＥＤ−Ｒ１３，ＬＥＤ−Ｒ１４）と、２個の緑色ＬＥＤ（ＬＥＤ−Ｇ１３，ＬＥＤ−Ｇ１４）と、２個の青色ＬＥＤ（ＬＥＤ−Ｂ３６，ＬＥＤ−Ｂ３７）と、２個の白色ＬＥＤ（ＬＥＤ−Ｗ５１，ＬＥＤ−Ｗ５２）を制御している。第３７ＬＥＤドライバＬＤｒ３７は、２個の赤色ＬＥＤ（ＬＥＤ−Ｒ１５，ＬＥＤ−Ｒ１６）と、２個の緑色ＬＥＤ（ＬＥＤ−Ｇ１５，ＬＥＤ−Ｇ１６）と、２個の青色ＬＥＤ（ＬＥＤ−Ｂ３８，ＬＥＤ−Ｂ３９）と、２個の白色ＬＥＤ（ＬＥＤ−Ｗ５３，ＬＥＤ−Ｗ５４）を制御している。  第３８ＬＥＤドライバＬＤｒ３８は、２個の赤色ＬＥＤ（ＬＥＤ−Ｒ１７，ＬＥＤ−Ｒ１８）と、２個の緑色ＬＥＤ（ＬＥＤ−Ｇ１７，ＬＥＤ−Ｇ１８）と、２個の青色ＬＥＤ（ＬＥＤ−Ｂ４０，ＬＥＤ−Ｂ４１）と、２個の白色ＬＥＤ（ＬＥＤ−Ｗ５５，ＬＥＤ−Ｗ５６）を制御している。
【０１６５】
図１９に示すように、第５ＬＥＤ基板群Ｅに対応して設けるシリアルクロックラインＳＣＬの受信素子ＢＤ０５は、その入力Ａ８に、送信素子ＢＤ００からのシリアルクロックラインＳＣＬを信号ケーブルを介して接続し、その出力Ｙ８を、第５ＬＥＤ基板群Ｅに含まれる各ＬＥＤドライバＬＤｒ３９〜ＬＤｒ４４のシリアルクロックラインＳＣＬに接続している。受信素子ＢＤ０５の他の入力Ａ１〜Ａ７及び各出力イネーブルＯＥ１バー，ＯＥ２バーはＧＮＤに接地し、Ｌ（ロー又は論理０）に固定している。この受信素子ＢＤ０５は、専ら、シリアルクロックラインＳＣＬのクロック信号をマスター側から受信して第５ＬＥＤ基板群Ｅに属する各ＬＥＤドライバＬＤｒ３９〜ＬＤｒ４４に送信する一方向性のバッファ／ドライバとして機能する。
【０１６６】
第５ＬＥＤ基板群Ｅに対応するシリアルデータラインＳＤＡ（ＳＤＡ１）は、双方向性のバスバッファＢＵＳＢの第１出力端子ＴＸ及び第１入力端子ＲＸの結合ラインと信号ケーブルを介して結ばれる。第５ＬＥＤ基板群Ｅに含まれる各ＬＥＤドライバＬＤｒ３９〜ＬＤｒ４４のシリアルデータラインＳＤＡは、マスターとなるマイクロコントローラＭＳＴの基板に実装したバスバッファＢＵＳＢと信号ケーブルにより直接的に接続されることになる。
【０１６７】
なお、必要に応じて、第５ＬＥＤ基板群Ｅの中継基板Ｅ００等に、前記バスバッファＢＵＳＢと同様な双方向性のスレーブ側バスバッファを実装し、このスレーブ側バスバッファの第１出力端子ＴＸ及び第１入力端子ＲＸの結合ラインをマスター側のバスバッファＢＵＳＢの第１出力端子ＴＸ及び第１入力端子ＲＸの結合ラインと信号ケーブルを介して接続し、スレーブ側バスバッファの第１入出端子ＳＸを第５ＬＥＤ基板群Ｅに属する各ＬＥＤドライバＬＤｒ３９〜ＬＤｒ４４のシリアルデータラインＳＤＡと接続してもよい。
【０１６８】
Ｒ５１は、スレーブとなるＬＥＤドライバＬＤｒ３９〜ＬＤｒ４４のシリアルデータラインＳＤＡ（ＳＤＡ１）を＋５Ｖの電源ラインＶＣＣにプルアップする抵抗、Ｒ５２は、スレーブとなるＬＥＤドライバＬＤｒ３９〜ＬＤｒ４４のシリアルクロックラインＳＣＬを＋５Ｖの電源ラインＶＣＣにプルアップする抵抗である。
【０１６９】
第３９ＬＥＤドライバＬＤｒ３９、第４０ＬＥＤドライバＬＤｒ４０、第４１ＬＥＤドライバＬＤｒ４１は、多色ＬＥＤを８個集合させたＬＥＤ群（ＬＥＤ−７５８〜ＬＥＤ−７６５）を制御している。このＬＥＤ群の各赤色発光端子（Ｒ）は、共通する一つの赤色発光用多ビットＬＥＤドライバとして割り付けた第３９ＬＥＤドライバＬＤｒ３９の各出力端子（ＯＵＴ０バー〜ＯＵＴ７バー）に接続している。また、このＬＥＤ群の各緑色発光端子（Ｇ）は、共通する別の一つの緑色発光用多ビットＬＥＤドライバとして割り付けた第４０ＬＥＤドライバＬＤｒ４０の各出力端子（ＯＵＴ０バー〜ＯＵＴ７バー）に接続している。さらに、このＬＥＤ群の各青色発光端子（Ｂ）は、共通する更に別の一つの青色発光用多ビットＬＥＤドライバとして割り付けた第４１ＬＥＤドライバＬＤｒ４１の各出力端子（ＯＵＴ０バー〜ＯＵＴ７バー）に接続している。
【０１７０】
したがって、一つの第３９ＬＥＤドライバＬＤｒ３９により、８個の多色ＬＥＤを集合させたＬＥＤ群（ＬＥＤ−７５８〜ＬＥＤ−７６５）の全部又は任意の一部を容易に赤色に点灯できる。また、一つの第４０ＬＥＤドライバＬＤｒ４０により、８個の多色ＬＥＤを集合させたＬＥＤ群（ＬＥＤ−７５８〜ＬＥＤ−７６５）の全部又は任意の一部を容易に緑色に点灯できる。さらに、一つの第４１ＬＥＤドライバＬＤｒ４１により、８個の多色ＬＥＤを集合させたＬＥＤ群（ＬＥＤ−７５８〜ＬＥＤ−７６５）の全部又は任意の一部を容易に青色に点灯できる。この他、第３９ＬＥＤドライバＬＤｒ３９、第４０ＬＥＤドライバＬＤｒ４０、第４１ＬＥＤドライバＬＤｒ４１の三つ又は任意の二つの組み合わせにより、８個の多色ＬＥＤを集合させたＬＥＤ群（ＬＥＤ−７５８〜ＬＥＤ−７６５）の全部又は任意の一部を任意の色に容易に点灯できる。
【０１７１】
このＬＥＤ群（ＬＥＤ−７５８〜ＬＥＤ−７６５）は、前扉右上飾りＬＥＤ基板Ｅ０１に実装しており、エラー発生時には、直ちに、遊技機１の正面右上の装飾ランプカバー６３をそのエラー種別に応じた色及び点滅態様で点灯させ、異常が生じた旨を遊技者及び遊技場係員に迅速かつ的確に知らせる。
【０１７２】
図２０に示すように、第４２ＬＥＤドライバＬＤｒ４２は、２個の赤色ＬＥＤ（ＬＥＤ−Ｒ１９，ＬＥＤ−Ｒ２０）と、２個の緑色ＬＥＤ（ＬＥＤ−Ｇ１９，ＬＥＤ−Ｇ２０）と、２個の青色ＬＥＤ（ＬＥＤ−Ｂ４２，ＬＥＤ−Ｂ４３）と、２個の白色ＬＥＤ（ＬＥＤ−Ｗ５７，ＬＥＤ−Ｗ５８）を制御している。第４３ＬＥＤドライバＬＤｒ４３は、２個の赤色ＬＥＤ（ＬＥＤ−Ｒ２１，ＬＥＤ−Ｒ２２）と、２個の緑色ＬＥＤ（ＬＥＤ−Ｇ２１，ＬＥＤ−Ｇ２２）と、２個の青色ＬＥＤ（ＬＥＤ−Ｂ４４，ＬＥＤ−Ｂ４５）と、２個の白色ＬＥＤ（ＬＥＤ−Ｗ５９，ＬＥＤ−Ｗ６０）を制御している。第４４ＬＥＤドライバＬＤｒ４４は、２個の赤色ＬＥＤ（ＬＥＤ−Ｒ２３，ＬＥＤ−Ｒ２４）と、２個の緑色ＬＥＤ（ＬＥＤ−Ｇ２３，ＬＥＤ−Ｇ２４）と、２個の青色ＬＥＤ（ＬＥＤ−Ｂ４６，ＬＥＤ−Ｂ４７）と、２個の白色ＬＥＤ（ＬＥＤ−Ｗ６１，ＬＥＤ−Ｗ６２）を制御している。
【０１７３】
図２１に示すように、第６ＬＥＤ基板群Ｆに対応して設けるシリアルクロックラインＳＣＬの受信素子ＢＤ０６は、その入力Ａ８に、送信素子ＢＤ００からのシリアルクロックラインＳＣＬを信号ケーブルを介して接続し、その出力Ｙ８を、第６ＬＥＤ基板群Ｆに含まれる各ＬＥＤドライバＬＤｒ４５〜ＬＤｒ４８のシリアルクロックラインＳＣＬに接続している。受信素子ＢＤ０６の他の入力Ａ１〜Ａ７及び各出力イネーブルＯＥ１バー，ＯＥ２バーはＧＮＤに接地し、Ｌ（ロー又は論理０）に固定している。この受信素子ＢＤ０６は、専ら、シリアルクロックラインＳＣＬのクロック信号をマスター側から受信して第６ＬＥＤ基板群Ｆに属する各ＬＥＤドライバＬＤｒ４５〜ＬＤｒ４８に送信する一方向性のバッファ／ドライバとして機能する。
【０１７４】
第６ＬＥＤ基板群Ｆに対応するシリアルデータラインＳＤＡ（ＳＤＡ２）は、双方向性のバスバッファＢＵＳＢの第２出力端子ＴＹ及び第２入力端子ＲＹの結合ラインと信号ケーブルを介して結ばれる。第６ＬＥＤ基板群Ｆに含まれる各ＬＥＤドライバＬＤｒ４５〜ＬＤｒ４８のシリアルデータラインＳＤＡは、マスターとなるマイクロコントローラＭＳＴの基板に実装したバスバッファＢＵＳＢと信号ケーブルにより直接的に接続されることになる。
【０１７５】
なお、必要に応じて、第６ＬＥＤ基板群Ｆの中継基板Ｆ００等に、前記バスバッファＢＵＳＢと同様な双方向性のスレーブ側バスバッファを実装し、このスレーブ側バスバッファの第１出力端子ＴＸ及び第１入力端子ＲＸの結合ラインをマスター側のバスバッファＢＵＳＢの第２出力端子ＴＹ及び第２入力端子ＲＹの結合ラインと信号ケーブルを介して接続し、スレーブ側バスバッファの第１入出端子ＳＸを第６ＬＥＤ基板群Ｆに属する各ＬＥＤドライバＬＤｒ４５〜ＬＤｒ４８のシリアルデータラインＳＤＡと接続してもよい。
【０１７６】
Ｒ６１は、スレーブとなるＬＥＤドライバＬＤｒ４５〜ＬＤｒ４８のシリアルデータラインＳＤＡ（ＳＤＡ２）を＋５Ｖの電源ラインＶＣＣにプルアップする抵抗、Ｒ６２は、スレーブとなるＬＥＤドライバＬＤｒ４５〜ＬＤｒ４８のシリアルクロックラインＳＣＬを＋５Ｖの電源ラインＶＣＣにプルアップする抵抗である。
【０１７７】
第４５ＬＥＤドライバＬＤｒ４５は、２個の赤色ＬＥＤ（ＬＥＤ−Ｒ２５，ＬＥＤ−Ｒ２６）と、２個の緑色ＬＥＤ（ＬＥＤ−Ｇ２５，ＬＥＤ−Ｇ２６）と、２個の青色ＬＥＤ（ＬＥＤ−Ｂ４８，ＬＥＤ−Ｂ４９）と、２個の白色ＬＥＤ（ＬＥＤ−Ｗ６３，ＬＥＤ−Ｗ６４）を制御している。第４６ＬＥＤドライバＬＤｒ４６は、２個の赤色ＬＥＤ（ＬＥＤ−Ｒ２７，ＬＥＤ−Ｒ２８）と、２個の緑色ＬＥＤ（ＬＥＤ−Ｇ２７，ＬＥＤ−Ｇ２８）と、２個の青色ＬＥＤ（ＬＥＤ−Ｂ５０，ＬＥＤ−Ｂ５１）と、２個の白色ＬＥＤ（ＬＥＤ−Ｗ６５，ＬＥＤ−Ｗ６６）を制御している。第４７ＬＥＤドライバＬＤｒ４７は、２個の赤色ＬＥＤ（ＬＥＤ−Ｒ２９，ＬＥＤ−Ｒ３０）と、２個の緑色ＬＥＤ（ＬＥＤ−Ｇ２９，ＬＥＤ−Ｇ３０）と、２個の青色ＬＥＤ（ＬＥＤ−Ｂ５２，ＬＥＤ−Ｂ５３）と、２個の白色ＬＥＤ（ＬＥＤ−Ｗ６７，ＬＥＤ−Ｗ６８）を制御している。第４８ＬＥＤドライバＬＤｒ４８は、２個の赤色ＬＥＤ（ＬＥＤ−Ｒ３１，ＬＥＤ−Ｒ３２）と、２個の緑色ＬＥＤ（ＬＥＤ−Ｇ３１，ＬＥＤ−Ｇ３２）と、２個の青色ＬＥＤ（ＬＥＤ−Ｂ５４，ＬＥＤ−Ｂ５５）と、２個の白色ＬＥＤ（ＬＥＤ−Ｗ６９，ＬＥＤ−Ｗ７０）を制御している。
【０１７８】
図２２及び図２３に示すように、各ＬＥＤドライバＬＤｒ０１〜ＬＤｒ４８のそれぞれの３つのハードウェアアドレス端子（アドレス入力Ａ０，Ａ１，Ａ２）は、０ＶのＧＮＤ、＋５ＶのＶＣＣ、シリアルクロックラインＳＣＬ、シリアルデータラインＳＤＡの何れかと接続している。これにより、Ｉ２ＣバスのマスターとなるマイクロコントローラＭＳＴからのスタートコンディションに続く最初のバイトで指定する７ビットのアドレスＡ６，Ａ５，Ａ４，Ａ３，Ａ２，Ａ１，Ａ０により、ＬＥＤドライバＬＤｒ０１〜ＬＤｒ４８毎に異なるスレーブアドレス２０ｈ，２２ｈ・・・を確定させている。
【０１７９】
図２４に示すように、Ｉ２ＣバスのマスターとなるマイクロコントローラＭＳＴから、Ｉ２Ｃバスのスレーブとなる各ＬＥＤドライバＬＤｒ０１〜ＬＤｒ４８へのＩ２Ｃバス上のデータ転送は、スタートコンディションＳ（シリアルクロックラインＳＣＬがＨ（ハイ又は論理１）のときに、シリアルデータラインＳＤＡをＨ（ハイ又は論理１）からＬ（ロー又は論理０）に変化させること）の後、スレーブアドレスがＭＳＢ（最上位ビット）から送信される。
【０１８０】
このスレーブアドレスは７ビットで構成され（Ａ６，Ａ５，Ａ４，Ａ３，Ａ２，Ａ１，Ａ０）、８ビット目にはデータ方向ビットＲ／Ｗが続く。このデータ方向ビットＲ／Ｗが論理０であれば送信（書き込み）、論理１であればデータ要求（読み込み）を示すが、ＬＥＤドライバは、内部レジスタを読み出すスレーブトランスミッタとして使用することもできるが、通常、オン／オフデータや内部レジスタに書き込むデータを送信するため、データ方向ビットＲ／Ｗは論理０（送信（書き込み））となる。
【０１８１】
スレーブアドレスが送信されると、各ＬＥＤドライバＬＤｒ０１〜ＬＤｒ４８は、スタートコンディションＳの後の最初の７ビットをそれぞれ各自のアドレスと比較し、アドレスが一致した場合、そのＬＥＤドライバはスレーブレシーバとしてマスターからアドレス指定されたと判断する。
【０１８２】
シリアルデータラインＳＤＡに出力される各バイトの長さは必ず８ビットとなり、一回の転送で伝送できるバイト数には制限はない。スレーブアドレスの送信に続き、これによってアドレス指定するＬＥＤドライバの制御態様に応じて、必要なデータバイト（データ１〜データＮ）を８ビット（１バイト）ずつ送ることになる。各バイト(スレーブアドレス＋Ｒ／Ｗ，データ１，データ２，・・・データＮ)の後にはアクノリッジビットＡＣＫが必要になる。データ（Ｄ７，Ｄ６，Ｄ５，Ｄ４，Ｄ３，Ｄ２，Ｄ１，Ｄ０）はＭＳＢ（最上位ビット）から順に送信される。
【０１８３】
制御しようとするＬＥＤドライバの制御態様に応じたデータバイト（データ１〜データＮ）により、アドレス指定されたＬＥＤドライバに内蔵された、固定周波数ＰＷＭコントローラ（ＰＷＭ  ＲＥＧＩＳＴＥＲ  Ｘ  ＢＲＩＧＨＴＮＥＳＳ  ＣＯＮＴＲＯＬ）、グループＰＷＭコントローラ（ＧＲＰＰＷＭ  ＲＥＧＩＳＴＥＲ）、ＬＥＤステートセレクトレジスタ（ＬＥＤ  ＳＴＡＴＥ  ＳＥＬＥＣＴ  ＲＥＧＩＳＴＥＲ）の各内部レジスタを必要に応じて設定し、８個のオープンドレインＬＥＤ出力（ＯＵＴ０バー〜ＯＵＴ７バー）に接続する各ＬＥＤを、個別に又はグループで、オンオフはもちろんのこと、完全オフから最大輝度までの範囲内で調光等するようにしている。
【０１８４】
スレーブとなるＬＥＤドライバが、データバイトの受信中、例えば、データＮ−１のバイトを受信できなくなったときには、次に送られてくるデータＮのバイトに対して非アクノリッジを示す。この場合、ＬＥＤドライバは、シリアルクロックラインＳＣＬのアクノリッジ用のクロックパルスがＨ（ハイ又は論理１）状態のときにシリアルデータラインＳＤＡがＨ（ハイ又は論理１）状態に維持されるように、シリアルデータラインＳＤＡをＨ（ハイ又は論理１）状態に保つ。
【０１８５】
非アクノリッジ（ハイ又は論理１）が返った場合、マスターとなるマイクロコントローラＭＳＴは、シリアルクロックラインＳＣＬがＨ（ハイ又は論理１）のときに、シリアルデータラインＳＤＡをＬ（ロー又は論理０）からＨ（ハイ又は論理１）に変化させてストップコンディションＰを生成し、データ送信を中止するか、又は、反復してスタートコンディションＳを生成し、再度又は新たなデータ送信をすることになる。
【０１８６】
Ｉ２Ｃバス上のデータ転送は、マスターとなるマイクロコントローラＭＳＴが生成するストップコンディションＰによって終了するが、同一又は異なるＬＥＤドライバとの間でデータ転送を続ける場合、ストップコンディションＰを生成することなく、反復スタートコンディションＳを生成し、同一又は異なるスレーブアドレスを指定して、そのＬＥＤドライバとの間でデータ転送を行う。
【実施例２】
【０１８７】
実施例１では、小グループを構成する各ＬＥＤ基板Ａ０１・・・毎に、各基板に実装するＬＥＤと共にそのＬＥＤを駆動するＬＥＤドライバＬＤｒ０１・・・を実装したが、実施例２では、中グループを構成する各ＬＥＤ基板群Ａ・・・毎の中継基板Ａ００・・・に、シリアルクロックラインＳＣＬの受信素子ＢＤ０１・・・と共にその中グループに含まれる小グループに属するＬＥＤドライバＬＤｒ０１・・・を実装している。
【０１８８】
図２５及び図２６に示すように、第１ＬＥＤ基板群Ａに対応する第１中継基板Ａ００には、シリアルクロックラインＳＣＬの受信素子ＢＤ０１を実装していると共に、第１ＬＥＤドライバＬＤｒ０１〜第１０ＬＥＤドライバＬＤｒ１０を実装している。第１中継基板Ａ００と、ＬＥＤを実装する各基板Ａ０１，Ａ０２，Ａ０３，Ａ０４との間は、各ＬＥＤドライバのオープンドレインＬＥＤ出力（ＯＵＴ０バー〜ＯＵＴ７バー）に接続する各直列抵抗Ｒ００１・・・の他端子から延びるハーネスで結ばれる。
【０１８９】
第２ＬＥＤ基板群Ｂに対応する第２中継基板Ｂ００には、シリアルクロックラインＳＣＬの受信素子ＢＤ０２を実装していると共に、第１１ＬＥＤドライバＬＤｒ１１〜第１９ＬＥＤドライバＬＤｒ１９を実装している。第２中継基板Ｂ００と、ＬＥＤを実装する各基板Ｂ０１，Ｂ０２，Ｂ０３との間は、各ＬＥＤドライバのオープンドレインＬＥＤ出力（ＯＵＴ０バー〜ＯＵＴ７バー）に接続する各直列抵抗Ｒ０８１・・・の他端子から延びるハーネスで結ばれる。
【０１９０】
第３ＬＥＤ基板群Ｃに対応する第３中継基板Ｃ００には、シリアルクロックラインＳＣＬの受信素子ＢＤ０３を実装していると共に、第２０ＬＥＤドライバＬＤｒ２０〜第２８ＬＥＤドライバＬＤｒ２８を実装している。第３中継基板Ｃ００と、ＬＥＤを実装する各基板Ｃ０１，Ｃ０２との間は、各ＬＥＤドライバのオープンドレインＬＥＤ出力（ＯＵＴ０バー〜ＯＵＴ７バー）に接続する各直列抵抗Ｒ１５３・・・の他端子から延びるハーネスで結ばれる。
【０１９１】
第４ＬＥＤ基板群Ｄに対応する第４中継基板Ｄ００には、シリアルクロックラインＳＣＬの受信素子ＢＤ０４を実装していると共に、第２９ＬＥＤドライバＬＤｒ２９〜第３８ＬＥＤドライバＬＤｒ３８を実装している。第４中継基板Ｄ００と、ＬＥＤを実装する各基板Ｄ０１，Ｄ０２，Ｄ０３，Ｄ０４，Ｄ０５，Ｄ０６，Ｄ０７との間は、各ＬＥＤドライバのオープンドレインＬＥＤ出力（ＯＵＴ０バー〜ＯＵＴ７バー）に接続する各直列抵抗Ｒ２２５・・・の他端子から延びるハーネスで結ばれる。
【０１９２】
第５ＬＥＤ基板群Ｅに対応する第５中継基板Ｅ００には、シリアルクロックラインＳＣＬの受信素子ＢＤ０５を実装していると共に、第３９ＬＥＤドライバＬＤｒ３９〜第４４ＬＥＤドライバＬＤｒ４４を実装している。第５中継基板Ｅ００と、ＬＥＤを実装する各基板Ｅ０１，Ｅ０２，Ｅ０３，Ｅ０４との間は、各ＬＥＤドライバのオープンドレインＬＥＤ出力（ＯＵＴ０バー〜ＯＵＴ７バー）に接続する各直列抵抗Ｒ３０５・・・の他端子から延びるハーネスで結ばれる。
【０１９３】
第６ＬＥＤ基板群Ｆに対応する第６中継基板Ｆ００には、シリアルクロックラインＳＣＬの受信素子ＢＤ０６を実装していると共に、第４５ＬＥＤドライバＬＤｒ４５〜第４８ＬＥＤドライバＬＤｒ４８を実装している。第６中継基板Ｆ００と、ＬＥＤを実装する各基板Ｆ０１，Ｆ０２，Ｆ０３，Ｆ０４との間は、各ＬＥＤドライバのオープンドレインＬＥＤ出力（ＯＵＴ０バー〜ＯＵＴ７バー）に接続する各直列抵抗Ｒ３５３・・・の他端子から延びるハーネスで結ばれる。
【実施例３】
【０１９４】
図２７（ａ）に示すように、シリアルクロックラインＳＣＬの前記送信素子ＢＤ００及び前記受信素子ＢＤ０１・・・は、それぞれ、一つのバッファゲートＧ１で置換してもよい。
【実施例４】
【０１９５】
図２７（ｂ）に示すように、シリアルクロックラインＳＣＬの前記送信素子ＢＤ００及び前記受信素子ＢＤ０１・・・は、それぞれ、二つのインバータゲートＧ２，Ｇ３の直列接続回路で置換してもよい。
【実施例５】
【０１９６】
図２７（ｃ）に示すように、シリアルクロックラインＳＣＬの前記送信素子ＢＤ００及び前記受信素子ＢＤ０１・・・は、それぞれ、二つのトランジスタＱ１，Ｑ２及び二つの抵抗Ｒｐ１，Ｒｐ２で構成する多段接続回路で置換してもよい。
【実施例６】
【０１９７】
図２７（ｄ）に示すように、シリアルクロックラインＳＣＬの前記送信素子ＢＤ００及び前記受信素子ＢＤ０１・・・は、それぞれ、二つのＦＥＴ（電界効果トランジスタ）Ｑ３，Ｑ４及び二つの抵抗Ｒｐ３，Ｒｐ４で構成する多段接続回路で置換してもよい。
【実施例７】
【０１９８】
演出用ドライバは、ＬＥＤドライバに代え、また、ＬＥＤドライバと併用し、モータドライバや、ソレノイドドライバ等を用いてもよい。
【産業上の利用可能性】
【０１９９】
主に、風俗営業等の規制及び業務の適正化等に関する法律第２条第１項第７号のぱちんこ屋や同８号の店舗等の営業に供される遊技機の産業分野において有用である。
【符号の説明】
【０２００】
Ａ；第１ＬＥＤ基板群
Ｂ；第２ＬＥＤ基板群
Ｃ；第３ＬＥＤ基板群
Ｄ；第４ＬＥＤ基板群
Ｅ；第５ＬＥＤ基板群
Ｆ；第６ＬＥＤ基板群
Ａ０１；センター飾りＬＥＤ基板１
Ａ０２；センター飾りＬＥＤ基板２
Ａ０３；センター飾りＬＥＤ基板３
Ａ０４；センター飾りＬＥＤ基板４
Ｂ０１；センター飾りＬＥＤ基板５
Ｂ０２；センター飾りＬＥＤ基板６
Ｂ０３；センター飾りＬＥＤ基板７
Ｃ０１；センター飾りＬＥＤ基板８
Ｃ０２；センター飾りＬＥＤ基板９
Ｄ０１；センター飾りＬＥＤ基板１０
Ｄ０２；センター飾りＬＥＤ基板１１
Ｄ０３；センター飾りＬＥＤ基板１２
Ｄ０４；左サイド飾りＬＥＤ基板
Ｄ０５；大入賞口飾りＬＥＤ基板
Ｄ０６；始動口飾りＬＥＤ基板
Ｄ０７；右サイド飾りＬＥＤ基板
Ｅ０１；前扉右上飾りＬＥＤ基板
Ｅ０２；前扉右下飾りＬＥＤ基板
Ｅ０３；前扉左下飾りＬＥＤ基板
Ｅ０４；前扉左上飾りＬＥＤ基板
Ｆ０１；受皿左飾りＬＥＤ基板
Ｆ０２；受皿中飾りＬＥＤ基板
Ｆ０３；受皿右飾りＬＥＤ基板
Ｆ０４；受皿下飾りＬＥＤ基板
ＳＣＬ；シリアルクロックライン
ＳＤＡ；シリアルデータライン
ＭＳＴ；マイクロコントローラ
ＬＤｒ０１〜４８；ＬＥＤドライバ（演出用ドライバ）
ＢＵＳＢ；双方向性のバスバッファ
ＢＤ００；送信素子
ＢＤ０１〜０６；受信素子
ＳＸ；第１入出力端子
ＴＸ；第１出力端子
ＲＸ；第１入力端子
ＳＹ；第２入出力端子
ＴＹ；第２出力端子
ＲＹ；第２入力端子
【図１】
2011250967.tif 000003
【図２】
2011250967.tif 000004
【図３】
2011250967.tif 000005
【図４】
2011250967.tif 000006
【図５】
2011250967.tif 000007
【図６】
2011250967.tif 000008
【図７】
2011250967.tif 000009
【図８】
2011250967.tif 000010
【図９】
2011250967.tif 000011
【図１０】
2011250967.tif 000012
【図１１】
2011250967.tif 000013
【図１２】
2011250967.tif 000014
【図１３】
2011250967.tif 000015
【図１４】
2011250967.tif 000016
【図１５】
2011250967.tif 000017
【図１６】
2011250967.tif 000018
【図１７】
2011250967.tif 000019
【図１８】
2011250967.tif 000020
【図１９】
2011250967.tif 000021
【図２０】
2011250967.tif 000022
【図２１】
2011250967.tif 000023
【図２２】
2011250967.tif 000024
【図２３】
2011250967.tif 000025
【図２４】
2011250967.tif 000026
【図２５】
2011250967.tif 000027
【図２６】
2011250967.tif 000028
【図２７】
2011250967.tif 000029